(57)【要約】【課題】従来技術の欠点を克服する方向に少なくともある程度進むか又は少なくとも一般大衆に有用な選択肢を提供することになる器具のキャビネット用の自己調節式脚装置を提供すること。【解決手段】本発明の器具のキャビネット用の自己調節式脚装置は、キャビネットに結合された第１のソケットと、第１のソケットから間隔をおき、前記キャビネットに結合された第２のソケットと、第１のソケットから下方に突出し、第１のソケットを出入りして軸線に沿って移動可能な第１の脚と、第２のソケットから突出し、第２のソケットを出入りして軸線に沿って移動可能な第２の脚と、一端が第１のソケットに固定され第１の脚を支持するように第１のソケット内に通り、他端が第２のソケットに固定され第２の脚を支持するために第２のソケット内に通る、厚さよりも何倍も広い非伸張性バンドと、を備えている。【選択図】図１
2006271985.tif 000002
【特許請求の範囲】
【請求項１】
器具のキャビネット用の自己調節式脚装置であって、
前記キャビネットに結合された第１のソケット、
該第１のソケットから間隔をおき、前記キャビネットに結合された第２のソケットと、
前記第１のソケットから下方に突出し、該第１のソケットを出入りして軸線に沿って移動可能な第１の脚と、
前記第２のソケットから突出し、該第２のソケットを出入りして軸線に沿って移動可能な第２の脚と、
一端が前記第１のソケットに固定され前記第１の脚を支持するように前記第１のソケット内に通り、他端が前記第２のソケットに固定され前記第２の脚を支持するために該第２のソケット内に通る、厚さよりも何倍も広い非伸張性バンドと、を備えている、
ことを特徴とする器具キャビネット用の自己調節式脚装置。
【請求項２】
前記非伸張性バンドは、一端が前記第１のソケットに対して固定され、前記第１の脚の上部支持面の上を含む該第１のソケットを通過し、前記第２の脚の上部支持部分の上を含む前記第２のソケットを通過し、その他端で該第２のソケットに対して固定されている、
請求項１に記載の自己調節式脚装置。
【請求項３】
各前記脚は、前記バンド支持面の上方に間隔をおいて配置された保持用舌状部を含む、
請求項１に記載の自動調節式脚装置。
【請求項４】
各前記ソケットは、少なくとも前記バンドがそれぞれの該ソケットから他方の該ソケットに向けて通る領域において、下方支持面を含む、
請求項１又は２に記載の自動調節式脚装置。
【請求項５】
各前記ソケットは、内部直立部材及び外部リテーナを含み、
前記内部直立部材と前記外部リテーナとは、その間の前記電気製品の基部パネルによって相互に係合し、
前記脚は、前記基部パネルの開口を通じて前記直立部材の中を通り、
前記内部直立部材は、他方の該内部直立部材から離れる方向に向く側面上にバンド係合部を含む、
請求項１ないし３のいずれか１項に記載の自動調節式脚装置。
【請求項６】
器具のキャビネット用の自己調節式脚装置であって、
キャビネットに結合された第１のソケットと、
該第１のソケットから間隔をおき、該キャビネットに結合された第２のソケットと、
前記第１のソケットから下方に突出し、軸線に沿って前記第１のソケットを出入りする移動可能な第１の脚と、
前記第２のソケットから突出し、軸線に沿って前記第２のソケットを出入りする移動可能な第２の脚と、
一端が前記第１のソケットに対して固定され、前記第１の脚の上部支持面の上を含む該第１のソケットを通過し、前記第２の脚の上部支持部分の上を含む前記第２のソケットを通過し、他端で該第２のソケットに対して固定された可撓性の非伸張性結合部と、を備えている、
ことを特徴とする器具キャビネット用の自己調節式脚装置。
【発明の詳細な説明】
【技術分野】
【０００１】
本発明は、ランドリ装置に関するものであり、特に、衣料、タオル、及び寝具品目のような湿った繊維物品の乾燥のための家庭用ランドリ装置に関する。
【背景技術】
【０００２】
従来技術の衣類乾燥機は、一般的に矩形キャビネット内に支持された回転可能な金属ドラムを有する形式のものである。回転可能なドラムは、キャビネット前部に面する開放端と、キャビネット後部の実質的に閉鎖した端部を含む。キャビネット前面のドア又はハッチを開くことによって、ドラムの開放端にアクセスすることができる。
従来技術の衣類乾燥機は、上部投入式洗濯機に対して重大な人間工学上の不都合な点を有する。洗濯物を上部投入式衣類洗濯機から前部投入式衣類乾燥機に移さなければならないことが、特に不都合である。
【０００３】
米国特許３，５１４，８６７号明細書では、逆転を可能にするベルト引張構成を含むドラム式衣類乾燥機が説明されている。
日本国２−２７４２９４では、ドラムドア上に設けられたドアストッパを作動させるために回転位置でドラムを停止させる必要がある回転ドラム用自動ドア開閉装置が説明されている。また、ドアストッパを作動して係合解放状態にすると、キャビネットに対してドラムドアが非可動状態になる。
国際公開００/２８１２７号公報では、円筒面のハッチ形成部を有する回転式円筒ドラムを含むランドリ装置が説明されている。ドラムは、開放作動を開始する時のドラムからのハッチの取外し及びキャビネットに対する係合を可能にするように停止される。それはまた、閉鎖作動の終わりには、逆の過程に対して停止される。
【０００４】
米国特許５，６７８，４３０号明細書では、ドラムが水平軸線上で回転するように設けられた上部積み込み式自動洗濯機が説明されている。洗濯物担持ドラムは、ヒンジ式開口部を有し、バネ付勢式可撓性摺動槽ドアを有する貯水槽内に保持される。
欧州４８３９０９号では、積み込み及び取り出し位置で上部積み込み式水平軸ランドリ装置のドラムを停止するための装置が説明されている。
フランス２４７８１５１号では、上部積み込み式水平軸洗濯機用のドラム及びハッチ構成が説明されている。
国際公開００／２８１２６号公報では、アクセス開口部を露出するために回りのキャビネットから少なくとも部分的にドラムを移動させて出すことによりユーザのドラムへのアクセスをもたらす上部積み込み式水平軸洗濯機が説明されている。揺動、ピボット回転、及び摺動装置が説明されている。
【０００５】
米国特許４，２６２，８７０号明細書では、ランドリ装置を支持するための格納式セルフレベライズアセンブリが説明されている。このアセンブリは、支持脚を調節可能テンションバーの各反対端に結合するピンを摺動可能に受ける２つの間隔の空いた上方及び下方に傾斜したスロットを有する。
米国特許４，９４９，９２３号明細書では、垂直方向の動きに対してチャンネルを通じて摺動可能に収容される脚を有する電気製品のためのセルフレベライズアセンブリが説明されている。各脚には、安定化バーの上方に収束するスロット内に係合された外方に延びるピンが設けられている。
【０００６】
米国特許３，９５４，２４１号明細書では、垂直方向に移動可能な床部係合式脚部材が各々に設けられた一対の取付け用ブラケットを含む電気製品用自己調節式水平化アセンブリが説明されている。脚部材は、それらが、電気製品の重量の通常の釣り合った共有部分を支持しない時に、往復する関係でその対応するブラケットに対して自由に垂直方向に移動できるようにケーブルによって相互に結合される。
米国特許４，７７０，２７５号明細書では、直立菅に対して入れ子式に係合する一対の滑り脚を有するラダー用の水平化装置が説明されている。脚の上部領域には、ワイヤロープが固定されて菅の間に延びる。ワイヤは、ラダー構造体に対して固定された支持ガイドと係合される。
【０００７】
米国特許３，９９１，９６２号明細書では、キャビネットの各隅部にポリプロプレン脚を含む電気製品キャビネット用のセルフレベライズ機構が説明されている。各脚は、キャビネットに対して及び互いに対して一斉に垂直移動するように連続ケーブルによって相互に結合されている。各脚には、各脚をキャビネットと一定の関係で固定するための固定楔が設けられている。
国際公開９５／０８０１６号公報では、衣類乾燥機用の一括糸くず収集器が説明されている。乾燥機ドラムと共に回転する環状糸くずフィルタが、ドラムの一端から延びて乾燥機ドアを取り囲んでいる。糸くずは、乾燥機ドアの空洞に収集され、ドアの外面パネルを取り外すことによって除去可能である。
【発明の開示】
【発明が解決しようとする課題】
【０００８】
本発明の目的は、従来技術の欠点を克服する方向に少なくともある程度進むか又は少なくとも一般大衆に有用な選択肢を提供することになる、洗濯物乾燥機、及び／又関連部品、及び／又は関連方法を提供することにある。
【課題を解決するための手段】
【０００９】
第１の態様では、本発明は、概略的には、
器具のキャビネット用の自己調節式脚装置であって、
前記キャビネットに結合された第１のソケット、
該第１のソケットから間隔をおき、前記キャビネットに結合された第２のソケットと、
前記第１のソケットから下方に突出し、該第１のソケットを出入りして軸線に沿って移動可能な第１の脚と、
前記第２のソケットから突出し、該第２のソケットを出入りして軸線に沿って移動可能な第２の脚と、
一端が前記第１のソケットに固定され前記第１の脚を支持するように前記第１のソケット内に通り、他端が前記第２のソケットに固定され前記第２の脚を支持するために該第２のソケット内に通る、厚さよりも何倍も広い非伸張性バンドと、を備えている、
ことを特徴とする器具キャビネット用の自己調節式脚装置である。
【００１０】
更に別の態様では、本発明は、概略的には、
器具のキャビネット用の自己調節式脚装置であって、
キャビネットに結合された第１のソケットと、
該第１のソケットから間隔をおき、該キャビネットに結合された第２のソケットと、
前記第１のソケットから下方に突出し、軸線に沿って前記第１のソケットを出入りする移動可能な第１の脚と、
前記第２のソケットから突出し、軸線に沿って前記第２のソケットを出入りする移動可能な第２の脚と、
一端が前記第１のソケットに対して固定され、前記第１の脚の上部支持面の上を含む該第１のソケットを通過し、前記第２の脚の上部支持部分の上を含む前記第２のソケットを通過し、他端で該第２のソケットに対して固定された可撓性の非伸張性結合部と、を備えている、
ことを特徴とする器具キャビネット用の自己調節式脚装置ある。
【００１１】
本発明に関連する当業者には、本発明の構成の多くの変更及び大きく異なる実施形態及び応用が、特許請求の範囲で規定された本発明の範囲から逸脱することなく示唆されるであろう。本明細書における開示及び説明は、純粋に例示的であり、いかなる意味でも限定的ではない。
【発明を実施するための最良の形態】
【００１２】
図１、図２を参照すると、衣類乾燥機１００は、上部取り付け式ヒンジ蓋１０３を有するキャビネット１０１を含む。キャビネット１０１は、４つの側壁と床部とを有する。支持面で（例えば、床部）キャビネットを支持するためにキャビネット１０１の下面に脚１０２が設けられている。円筒形ドラム１０４は、キャビネット１０１内に水平に支持されている。ドラム１０４は、周囲外板に摺動式ハッチ開口部を含む。キャビネット１０１は、蓋１０３の下方に、使用時にドラム１０４の摺動式開口部へのアクセスを可能にする形状の開口部を含む。
【００１３】
ドラム１０４は、その端部１０５、１１０からキャビネット１０１内に水平に支持される。各ドラム端部は、シャーシ上に支持される。好ましい形態において、また、本明細書の発明の１つにおいては、シャーシは、キャビネットの前部が取り外された状態でキャビネット１０１から前方に移動される。説明する好ましい形態においては、ドラム及び他の機械式アセンブリと共にキャビネットからのシャーシの示す動きは、キャビネットの下部前縁近くでのピボット軸回りの回転によるものである。しかし、揺動式インタフェース又は摺動式インタフェースを含む他の移動インタフェースを使用してもよい。例えば、揺動式インタフェースは、基部パネルで支持された適切なトラックで転動する２つ又はそれ以上の下方に延びる湾曲揺動装置という形をとってもよい。摺動式インタフェースは、シャーシ側面パネルを支持する２つ又はそれ以上の支持用入れ子式レールを含んでもよい。
【００１４】
キャビネットからのシャーシサブアセンブリの移動を考慮した移動インタフェースの設置は、本明細書の発明の多くに従う乾燥機に必要な機能ではなく、本発明は、サブアセンブリがキャビネット内に固定された乾燥機にも等しく適用される。専ら例示用として示すと、ドラムの開閉、機械式駆動装置、糸くず収集、セルフレベライズ脚、ドラム開閉及びその作動は、全て、それぞれの発明の目標とする適用範囲から逸脱することなく独立して作動し、他の種類及び形態のランドリ装置に組み込むことができる本乾燥機の態様である。
【００１５】
好ましいシャーシは、好ましくは板金製であって周囲回りの補強フランジを形成するために内方に向けられた圧延処理縁部４００を有する一対の側面パネル５２２、６２２を含む。結合梁（ビーム）４０２、４０４、４０６が、ドラム１０４の高さよりも下方でシャーシ側面パネル５２２、６２２の間に延びている。結合梁は、プレス加工又は折板加工板金製として適切な剛性特性を有するプロファイルに即して成形することができる。梁は、任意の適切な方法で両端部を側面パネル５２２、６２２に固定することができる。例えば、最前部の梁４０２は、抵抗溶接又は留め具によって側面パネルの前縁に沿って内側に向けられたフランジ４０１に固定することができ、最後部の梁４０４は、同様の方法で固定することができ、中間の梁４０６は、ブラケット又は抵抗溶接処理折板状タブによって留めることができる。
【００１６】
ここで、図１３Ａ、図１３Ｂを参照すると、側面シャーシシートの下部前方及び後方隅部が支持されている。各隅部には、部分円形輪郭形状の弓状支持縁部４１２が設けられており、協働してキャビネットの各隅部で上方の突起部によりシャーシを位置決めして支持している。内方に向けられたフランジ４００は、各シャーシの縁部に沿っており、この輪郭形状に追随することにより、縁部を補強して支持面４１２となっている。他の下縁構成を図２５、図２８に示すと共に以下で説明する。
【００１７】
４つのキャビネット脚１０２は、各々、隣接するキャビネット側面パネル及びキャビネット基部パネル４１３に結合されている。脚１０２は、各々、側壁４２０の内側に向けられた下縁４１８と基部パネル４１３の相補的開口に嵌合する上方に延びる交差する壁を備えた構成４１４を含む。各脚１０２の上方に延びる交差壁４１４は、キャビネットの側壁に平行に整列し、図１で見ることができる側面プロファイルを有する一対の負荷支持壁４２２を含む。負荷支持壁４２２は、側面シャーシシートの部分円形支持面４１２に対して相補的な部分円形プロファイルを有する支持縁部４２４を含む。また、交差壁４２６は、各脚１０２から上方に延びる。交差壁４２６は、キャビネットの前面と平行に整列し、従って、負荷支持壁４２２に対して直角方向、少なくとも実質的に直角方向である。交差壁４２６は、中間点で各負荷支持壁４２２と交差し、横方向の作動に対して負荷支持壁４２２を支持する。交差壁４２６は、一部の地点では負荷支持壁４２２の最上部よりも高い上縁を有する。交差壁４２６の上縁は、少なくとも負荷支持壁４２２の負荷支持縁部の高さまで下方に延びるノッチ４２８を含み、ノッチ４２８は、それぞれのシャーシ側面シート５２２又は６２２の内方に延びるフランジ４００を収容する。ノッチは、それぞれの内方に向けられたフランジをそのそれぞれの負荷支持壁上で横方向に配置する役目を果たす。
【００１８】
脚の負荷支持面の特定の形態は重要ではない。その構造が使用中及び移送中にドラム支持構造体を位置決めするほどの強さであることが重要である。図１３Ａ、図１３Ｂに示す構成は、一対の間隔の空いた負荷支持壁を含み、同部分を左右両側の脚として使用することができるように線Ｘ-Ｘを中心にして左右対称である。これは有利であるが、必要というものではない。全く異なる形態を有する他の構成を図２５から図２８に示す。ここでもまた、脚は、同部分が左右両側の脚として使用することができるように左右対称であるが、異なる直立部が後脚ではなく前脚に使用されている。この構成を更に詳細に説明する。
【００１９】
図１、図１３Ａを参照すると、キャビネットの前面は、着脱式前部ユニット４７０として側面の前方部分と一体成形されている。この取外し可能な前面パネルは、下部前脚部分４７２を含み、その後縁７０３は、対応する前脚１０２の相補的窪み７０４と嵌合する。前部ユニット４７０の側壁４７６の後縁４７４、キャビネットのそれ以外の側壁４２０の前縁４７８は、フランジとして内方に向けられている。内向きフランジ４７４、４７８は、前部ユニットが所定の位置にある状態で互いに接合し、他方の当接する内向きフランジの溝穴つまり窪みと嵌合するように、一方の当接する内向きフランジから突出するクリップ４８０によって整列する。
【００２０】
着脱式前部ユニット４７０の下縁は、その各側壁部分と隣接する前脚部分４７２を含む。各前脚部分４７２は、下方に延びる固定用舌状部７０１を含む後方に延びる固定部材７００を含む。舌状部７０１は、それぞれの前脚１０２の前壁４８４の後方で係合する。固定部材７００の横方向後壁７０３は、前脚負荷支持部材４２２の窪み７０４内に嵌合する。壁７０３の上縁は、窪み７０４の上部境界を形成する下方に向いた棚部４９０の下方で係合する。脚１０２を伴う固定部材７０１の完全な係合には、キャビネットの他の部分との脚結合部回りに行われる前面パネルユニット４７０の小さな後方へのピボット回転が必要である。切り離すには、小さな前方へのピボット回転が必要である。このピボット回転は、いくらかの持ち上げによって達成することができるが、それ以外の場合は、接合部付近でキャビネットの前部を支持する表面によって妨げられる。キャビネット前部のいくらかの持ち上げにより、脚を相対的にピボット回転させることができる。
【００２１】
側面シャーシパネルの支持体の代替形態を含む他の脚装置を図２５から図２８に示す。この構成においては、側面シャーシには、下縁に沿って延びるプラスチック製補強部材２８０２が設けられている。補強部材は、パネルの下縁に結合され、好ましくは、クリップで所定の位置に留められ、更に、留め具によって固定される。補強部材２８０２の前端は、直立壁２８０４を支える支持面２８００を含む。直立壁２８０４は、上方に立ち上って基部パネルの開口２８１０を通る。係合用延長部２８０６は、上方に立ち上って基部パネル２８０８を通って別の開口２８１２を通る。係合用延長部２８０６、直立部２８０４は、各々、それぞれの開口の境界を超えるように反対方向に延びる。壁２８０４及び横方向の結合用支持材を含む直立部は、台座２８１４とは別の構成要素である。係合用延長部２８０６は、台座２８１４と一体化されている。
【００２２】
脚を基部パネルに結合する際に、係合用延長部２８０６は、それぞれの開口２８１２に通され、台座２８１４は、基部パネル２８０８の下面に当たる位置までピボット回転される。直立構成要素は、上からその開口２８１０を通して挿入され、台座構成要素２８１４内にクリップ留めされる。直立構成要素の前縁２８１０は、台座２８１４の前縁２８１８の上に突き出て、着脱式前部ユニットの前脚部分の後縁を受けるための窪み２８２０ができる。台座構成要素２８１４の前方部分の上面の開口２８２０は、着脱式前部ユニットの固定舌状部を受けるために窪み２８２０に露出される。
【００２３】
補強部材２８０２は、任意の従来の方法で側面シャーシパネルに取り付けることができる。図２５から図２８に示す形態においては、側面シャーシパネルは、前端のクリップ構成と後端の留め具とによって補強部材２８０２と係合し、側面パネル及び補強部材は、各々、側面パネルが長さ方向の大半に沿って補強部材に載るように構成される。前端では、内向きフランジ２８４０は、直立部２８４６後方のトラフ２８４２内に収まる。直立部２８４６からの突出部２８４４は、フランジ２８４０の開口２８４８を貫通する。側面パネルの下縁に沿った内向きフランジ２８５０は、補強部材２８０２の縦方向レール２８６０に載る。フランジ２８５０は、一方向から横方向支持をもたらすために下向き縁部２８５２を含む。パネルは、他方向の横方向支持をもたらすために、下向き縁部２８５２に対して、前方直立部分２８５４及び補強部材２８０２の後部直立部分２８５６の背後に延びる。側面パネルの後縁上の内向きフランジ２８５８は、後部直立部２８５６の外方及び上方突出部２８６４によって形成されたトラフ２８６２内に収まる。穴２８６６を通って挿入された留め具により、側面パネルは、補強部材２８０２上で所定の位置に固定される。
【００２４】
図２５から図２７に示す代替形態の後脚は、セルフレベライズを行なう脚装置を含む。この脚装置は、片側に隣接してキャビネットに結合した第１のソケット２５００及び反対側に隣接して結合した第２のソケットを含む。第１のソケットは、一方の後脚アセンブリに関連して、第２のソケットは、他方の後脚アセンブリに関連して設けられるものである。脚２５０４は、各ソケットから下方に突出する。脚は、軸線に沿って移動可能であり、ソケットを出入りする。
【００２５】
第１のソケットに対して一端２５０８に固定された非伸張性バンド２５０６は、第１の脚の上部支持面２５１０の上を含む、第１のソケットを通過する。バンドは、第２の脚の上部支持面の上を含む、基部パネル２５１２に隣接して第２のソケットを通ってキャビネット裏面に亘って通過し、その他端で第２のソケットに対して固定される。
各脚２５０４は、上部支持面上方に間隔を空けて配置された保持用舌状部２５１４を含む。
【００２６】
各ソケットは、少なくともバンドが他方のソケットに向けてそれぞれのソケットを出る領域において下方の支持面２５１６を含む。
各ソケットは、内部直立構成要素２５１８内及び外部台座構成要素２５２０内に形成される。内部直立構成要素及び台座構成要素は、その間にある電気製品の基部パネル２５１２と相互に係合しており、脚は、基部パネルの開口を通って直立部材に入り込む。
【００２７】
直立部材は、バンド係合部を含み（図２５の２５２２など、ただし、他の面で）、図２７では、他方の直立部材から離れた側に点線で示されている。バンド係合部は、バンドの溝穴２５２４と係合する。一方の脚が上がる時に他方の脚は下り、この対は、バンドによって制限される。各脚の上部支持面及び下方支持面２５１６は、圧力が掛かると反対方向にバンドに載り、電気製品の重量が脚に掛かった状態で移動を防止する。
【００２８】
バンドによって各脚に掛けられる拘束力は、バンドが脚上に完全に通り、かつ不動の構造体に固定されているために、横方向で均衡が保たれる。前後方向の力は、ワイヤ又は他の縦横比が小さいものと比較すると、厚みよりも幅が遥かに大きい非伸縮性金属バンドが使用されているために実質的に均衡が取られている。この幅のために、金属バンドは、脚及びソケットの支持面が形成された材料に食い込まないように、これらの面に負荷を分配する。これによって、これらの構成要素は、適切なプラスチックで製造することができる。
【００２９】
特に図２、図８を参照すると、乾燥機コンソール４５０、蓋１０３、周囲フレーム４５２（テーパ付きアクセス開口部）により、キャビネットの側壁、後壁、前壁の上縁４５４に固定された「上部デッキ」構成要素が構成される。上部デッキフレーム４５２の下方に延びる周囲側部４５６は、キャビネットの前面、側面、後面の上縁フランジ４５８の上に取り付けられる。これらの縁部フランジは、内部的には、側壁４５６の内面４６４から横方向に延びる位置決め部材４６２のテーパ付き溝穴４６０内で、上部デッキの側部及び前部の周囲側部４５６近くに位置する。また、上部デッキの側面の周囲側壁の位置決め部材の溝穴つまり窪み４６６により、横方向の動きに対抗してシャーシ側壁５２２及び６２２の上縁が保持される。
【００３０】
図１４を参照すると、上部デッキは、背面８００のクリップ構成によってキャビネット上縁と固定された関係で維持される。クリップ構成は、横方向の溝穴８０４が、キャビネット上縁にある上部デッキ後部周囲から延びるクリップ部８０２を近接して並べることによって係合し、上部デッキは、前面が背面よりも高くなった状態で傾斜した状態で保持される。その後、上部デッキ前縁を低くすると、上部デッキは、キャビネットの上部デッキに対して実質的に水平に向けられ、キャビネットの上縁は、側部及び前部を取り囲む位置決め部材４６２のテーパ溝穴４６０内に位置決めされる。これによって、側壁の上縁のアラインメントが維持され、着脱式前部ユニット４７０が、それぞれの側壁に当たるように所定の位置に保持される。上部デッキは、上部デッキをキャビネットの上縁に結合する留め具によってこの向きで固定される。これらの留め具は、上部デッキと側面ハウジング３０４、３０５との間で結合されることが好ましい（図１、図６から図９を参照）。側面ハウジング３０４及び３０５は、次に、それぞれのシャーシ側面シート５２２、６２２と結合する。
【００３１】
内部の乾燥機構成要素を維持するために、関連留め具を取り除くことによってキャビネットの上縁から上部デッキから取り外すことができる。上部デッキが取り外された状態で、その前部を前部ユニットの上方に延びるフランジが切り離すように上方に傾けることができる。前脚係合部は、乾燥機の前部を持ち上げて前部ユニットを前方に回転させることにより取り外した状態にすることができる。前部ユニットは、この時点で、上部デッキが上方に傾いた状態でキャビネットの残りの部分から完全に取外し可能である。前部ユニットが取り外された状態で、支持シャーシによって支持された構成要素間の電気接続を断つことができ、また、ドラム支持シャーシ全体をキャビネットから回転させることができ、シャーシ側壁の前部下部隅部の支持面は、上方に延びる前脚支持壁の相補的支持縁部を覆うように摺動する。シャーシは、ドラム、モータ、ファン、駆動プーリアセンブリを支持し、キャビネットの前にいる保守担当者にこれらの構成要素を呈示する。加熱器構成要素は、ガス式又は電気式を問わず、基部パネルに固定され、前部ユニットが取り外された状態で、ドラム及びシャーシがより通常のその作動位置で検査及び保守に利用可能である。
【００３２】
図２４を参照すると、加熱器構成要素２４００は、ガス式又は電気式を問わず、基部パネル２４０４に取り付けられた空気吸込口２４０２の入口に位置する。空気吸込口は、シャーシが作動位置の状態で熱気吸気口マニホールド２４１０の入口開口部２４０８に整列した出口開放端２４０６を有する。熱気吸気口マニホールドは、入口端傾斜外側シャーシ５２２に固定される。
図２３を参照すると、乾燥機キャビネットを出入りするようにシャーシ及び付属の構成要素を傾かせた場合、かご形ファンハウジング１２０とキャビネット排気口１２８を含むキャビネット出口構成要素１８４４との間で接続が行われるか又は切断される。この結合部の構成及び配置は、更に詳しく後述する。
【００３３】
図１から図３、図３４を参照すると、円筒形ドラム１０４は、一対の円形ドラム端部とその間で結合した円筒形ドラム外板を有する。円筒形ドラム外板は、ドラム両端部１０５、１１０に永久的に結合した第１の部分円筒形外板１０７と、ドラム開口部の側縁を構成する一対の円周方向トラック１０９内で縁部が摺動する部分円筒形ドラムハッチ１０８とから成る。永久的に結合したドラム外板部１０７は、ベーン１０６、１８６、１９６、並びにドラム端部との永久的結合によって支持される。ベーン１０６、１８６、１９６は、各々、ドラム両端部間に形成され、ドラム両端部及びドラム外板と結合される。トラック１０９は、ドラム開口部を構成する円周部のその部分の回りのドラム周囲に結合したドラム端部支持部材３４００上に設けられる。ベーン１８６、１９６は、ドラム端部支持部材の両端部間に結合される。ベーン１８６、１９６は、ドラム開口部の前縁及び後縁を形成する。ベーン１８６、１９６ドラム端部支持部材３４００でドラム開口部が形成される。
ドラム１０４は、一端にあるスピンドル、他端にある環状支持面によってキャビネット１０１内に回転可能に支持される。
【００３４】
図４、図４Ａを参照すると、空気入口ドラム端部１１０は、内方にドーム化された中心部分５００を含む。中心部分５００は、空気入口１２１を形成する複数の穿孔（例えば、５０３）を含む。領域５００の中心部分にある平坦なハブ部分５０４は、例えば、リベット５０６によってハブ部分に固定された支持ハウジング５０５を有する。支持ハウジング５０４内には、球形のブッシュ５１０が、留め具５０６によって支持ハウジング５０４に固定された薄い金属バネカバー５１５によって固定されている。
【００３５】
入口端傾斜外側シャーシ５２２には、熱気吸気口マニホールド２４１０が固定される。熱気吸気口マニホールドは、周囲５３１回りに一緒にシャーシ５２２に固定された内側プレス加工板５２０及び外側プレス加工板５２１を備える。周囲は、例えば留め具又は抵抗溶接により、一緒にシャーシ５２２に固定することができる。内側板５２０は、組み立てられた時にドラム端部１１０の有孔中心部分５００近くにある熱風出口開口部５２３を含む。開口部５２３、５２４は、板５２０の中央ハブ部分５３５回りに間隔を空けて配置され、中央ハブ領域５３５を支持するスポークはそのままである。
【００３６】
外板５２１は、外板を貫通する開口部５４０を有する窪み状中央領域５３０を含む。窪み状領域５３０には、組み立てられた時にボルト５０８の頭部が収まる。内板５２０は、外板５２１の開口部５４０と整列した開口部５４１を含む。それぞれの開口部５４１、５４０の周辺部で板５２０、５２１の間の分離部を維持するために、内板５２０と外板５２１との間に圧縮菅５３６が位置する。支持シャフト５１１は、開口部５４１を通じて圧縮菅５３６内に嵌合した位置決め栓５５５を有する。支持シャフトは、内板５２０中央部５３５の外面に当たるように位置するスラスト受けフランジ５５０を含む。球形ドラム支持部５１０の外端面は、スラストフランジ５５０の反対側に当たるように支持される。支持シャフト５１１は、ドラム内に延びるスタブシャフト５６０を含む。スタブシャフト５６０は、球形支持部５１０の内側孔に嵌合する。
【００３７】
支持シャフト５１１は、アセンブリを完成する受けボルト５０８、５６２用の中央軸線方向孔５６１を含む。ボルト５０８は、開口５４０及び支持シャフト５１１中央孔５６２の一端内に固定される圧縮菅５３６孔を貫通する。これによって、熱風マニホールド内側シート５２０から突出するスタブシャフトができる。球形支持部５１０がスタブシャフト５６０を覆うように嵌合された状態で、ボルト５６２によってスタブシャフト５６０端部に保護キャップ５６３が固定される。保護キャップ５６３は、ドラム端部の平坦なハブ部分及び付随の支持部ホルダ５０５と留め具５０６とを覆う。ボルト５６２は、カバー５６３の平坦な中央ハブ部分に当たるように固定される。カバーの平坦な中央ハブは、スタブシャフトの球形支持部５１０を保持するために、スタブシャフト５６０端面を越して延びる。
【００３８】
入口開口部５２３、５２４の円周回りに位置する環状シール５２５により、ドラムと熱気吸気口マニホールドとの間に環状シールが作成される。この軟質フェルト製シールは、内板５２０のドラムに向いた面に固定される。ドラム端部１１０は、窪んだ中央領域５００の同心的に外側に内方に窪んだリング５０１を有することにより、その間に外方に向いた環状リング５２６ができる。外方に向いた環状リング５２６は、マニホールドとドラム端部１１０との間に環状シールをもたらすためにフェルト製シール５２５内に押圧される。
【００３９】
図３６から図３８に示す他の実施形態によれば、ドラム入口の摺動式環状シールは、ゴム弾性支持部材３６００を含む。支持部材３６００は、基部脚３６０２及び湾曲脚３６０４を有する実質的に一定の断面を有する。湾曲脚３６０４にはフェルトストリップ３６０６が固定され、基部脚３６０２は、入口ダクトに結合される。図３６に示すような場所では、湾曲脚３６０４は、弛緩位置から捻じ曲げられ（図３８に図示）、フェルトストリップをドラム端面に対して付勢する。
【００４０】
弾性部材３６００は、突起ラグ３６０８を含み、突起ラグは、入口ダクト支持パネル開口部を貫通することによって基部脚３６０２を入口ダクトに固定する。この支持部材は、突起ラグ３６０８のプロファイルを含む定断面プロファイルを押出し成形し、ストリップに沿った間隔で突起ラグ３６０８を残すためにプロファイルのラグ部分の長手方向部分を取り除くことによって製造することができる。ストリップは、シリコーンなどの公知のエラストマーから押出し成形することができる。
【００４１】
出口端でのドラムの支持及びドラム空気出口の更なる詳細は、図１、図５Ａ、図５Ｂを参照して見ることができる。また、図３５に示す代替シール構成についても説明する。ドラム端部１０５は、ドラム端部に固定されたドーム形環状カバー１６５を含む。固定中央ハブ１３１は、出口端シャーシ６２２に固定される。中央ハブ１３１は、前後の有孔領域１２２、ドラム内から取外し可能な中央糸くず収集容器を有する。
【００４２】
糸くず収集容器１３０は、上部部分６５０及び下部部分６５１を含むことが好ましい。上部部分６５０は、上部部分内に成形される取っ手要素６５２を含む。下部部分６５１は、透明又は透けて見えるプラスチック材料製であることが好ましい。下部部分６５１は、所定の位置にある時、ハウジング６５５の保持用隆起部と係合するための位置決め溝６５３を含む。上部部分６５０は、横方向側壁６６１の戻り止め６６０のハウジング内の協働する突出部との弾性係合によってハウジング６５５内で所定の位置に保持される。
糸くず収集容器１３０は、固定位置スクレーパ６６２によって環状の糸くず受け面１２３から剥がされた糸くずを受けるために上端部が開いている。糸くずは、糸くず収集容器１３０の上部開口部を通じてスクレーパ６６２から落ちる。
【００４３】
環状糸くず受け面１２３は、その内縁でドーム形リング１６５の外面から軸線方向に延び、ドラムと共に回転する。糸くず受け面１２３は、円周回りに間隔を空けてその間に構成された横方向に延びる横木を有する一対の間隔の空いたリング部材を有する梯子枠組み６７０に支持される。支持構造体６７０の形態を図３に示す。１つのリング部材は、ドーム形リング１６５の外方に向いた面に固定される。これは、例えば、接着剤、プラスチック溶接、又は任意の適切な留め具による締結によるものとすることができる。
また、固定中央部１３１に一対の水平電極６８３が固定される。電極６８３は、衣類の負荷の伝導性及び付随の水分含量を感知するための乾燥機コントローラ内で利用される。
【００４４】
環状糸くずフィルタ１２３は、固定部分１３１を取り囲み、排気口マニホールドハウジング６０３によって取り囲まれる。排気口マニホールドハウジング６０３は、適切な留め具によって出口端シャーシ６２２内面に固定される。マニホールドハウジング６０３は、例えば、シャーシ６２２との組合せで環状マニホールドチャンバ６０５を形成するプラスチック成形型を備えることができる。環状チャンバ６０５は、下端部で出口ダクト６０６に出て、出口ダクトは、次に、ファンハウジング１２０と結合した横方向の出口ダクト１２４に至る。
【００４５】
図５Ａ、図５Ｂは、ドラムの環状支持機構の詳細を含むその断面部を示す図５の領域の拡大図である。支持機構は環状であり、従って、図５Ａの主支持部の詳細は、図５Ｂで鏡映されている。
図５Ａにおいて、環状糸くずフィルタ１２３は、ドラム空気出口端に固定されることが分る。特に、内側リング部材７２１は、固定具１６５の外面から延びる環状壁７２７上の一連のクリップによって内方に窪んだ端板に当たるように所定の位置にクリップ留めされる。代替的に又はそれに加えて、このような連結は、適切な留め具、接着剤、又はプラスチック溶接によって行うことができ、又は、部品を一体成形することができる。ステンレス鋼のドラム端部７２６は、内部平面部と外部平面部との間に環状内方ステップ７３０を含み、内部平面部は、半径方向に内方に延びる環状フランジ７５０を備える。環状のステップ７３０は、本質的に円筒部を形成する。
【００４６】
環状マニホールド６０５は、マニホールドハウジング６０３と、シャーシ板６２２に固定されたマニホールドハウジング支持部７４１との間に封入される。マニホールドハウジング６０３は、外面がステンレス鋼製ドラム端部７２６の円筒部分７３０内面とほぼ平行であるほぼ円筒形部分７５１を含む。マニホールドハウジング６０３のほぼ円筒形部分７５１は、主として補強及び剛性を開放端にもたらす、開放端から延びる半径方向に内方に延びるフランジを有する。ほぼ円筒形部分７５１は、フランジ７５２を有する隅部から支持部材７４１に向けて延びた複数の受け溝穴を含む。溝穴７５３は、円筒部７５１の円周回りに形成され、各々、プラスチック支持インサート６８１を受ける。プラスチック支持インサート６８１は、任意の適切な抗摩損低摩擦材料、例えば「ＴＥＦＬＯＮ」含浸ポリエチレンで形成することができる。
【００４７】
また、ドラム端部７２６とハウジング６０３の円筒部７５１との間の空間には、環状密封ストリップ６８０が設けられる。密封ストリップ６８０は、例えば、２面間の空間に嵌合するように一般的に部分的に圧迫される、ハウジング６０３の円筒部７５１外面に接着されたフェルトストリップとすることができる。
プラスチック支持インサート６８１は、ドラム端部７２６の円筒部７３０と内方に向けられたフランジ７５０及び／又はフランジ７５０面との間の隅部に少なくとも部分的に当接するように、フランジ７５２面を超えて延びることが好ましい。従って、インサート６８１は、出口マニホールドハウジング６０３の周囲に当たるドラム端部の半径方向及びスラスト支持面の両方を提供する。
【００４８】
更に、糸くずフィルタ１２３の外側リング部材７２０とハウジング支持部材７４１との間には、付加的な環状シール６８２が設けられる。ハウジング支持部材７４１は、リング部材７２０の半径方向内方に向いた面７２５に向く、実質的に円筒形の半径方向外方に向いた面７４０を形成する環状内方ステップを含む。環状シール６８２、例えばフェルトストリップは、例えば接着剤によってリング部材の面に固定される。ストリップは、表面７２５、７４０間に取り付ける際に軽く圧迫されることが好ましい。
【００４９】
図３５に示す代替形態によれば、ドラム端部及び出口ダクト間、及び／又はフィルタスクリーン及び出口ダクト間の摺動シールは、プラスチックビード３５０２に結合したフェルトストリップ３５００を備える。プラスチックビード３５０２は、保持チャンネル３５０４又は３５０６内に係合される。
ドラム端部及びダクト間のシールの保持チャンネル３５０４は、出口ダクト外面に位置する。フィルタスクリーン及び出口ダクト間のシール用保持チャンネル３５０６は、フィルタスクリーンの環状支持部材３５１０内に位置する。
保持チャンネル３５０４は、ドラム端部及び出口ダクト間のシールのフェルトストリップが、上述の出口ダクトの環状隅部３５２０とドラム端部の環状隅部３５２２との間の空間内に嵌合して後者の隅部回りに延びるように位置する。
【００５０】
従って、環状マニホールドチャンバ６０５は、シャーシ６２２（マニホールドハウジング６０３及びハウジング支持部材７４１）及びドラム端部の回転構成要素によって支持された固定構成要素（付随の支持構造体を有する糸くずフィルタ１２３、面１６５、ドラム端部７２６）によって構成され、シールは、固定構成要素と回転構成要素との間に環状シール６８０、６８２によって維持される。糸くず収集容器１３０及び有孔空気入口板１３１及び付随の支持アセンブリは、事実上、ドラム内に配置され、マニホールド支持部材７４１の背後に隣接し、糸くずフィルタ１２３に取り囲まれる。
【００５１】
図１、図２、図１８から図２１を参照すると、モータ１８００は、ベルト及びプーリ減速装置を通じてドラム１０４の回転を駆動する。モータ１８００は、両端から突出する駆動シャフトを有する標準的な誘導モータとすることができる。ドライブ１０４の回転を駆動するための駆動プーリ１８０２は、駆動モータシャフトの一方の突出端部１８０４に結合される。駆動ベルト１８１０は、駆動プーリ１８０２と一端の近くにあるドラム１０４に掛けられる。かご形ファン１８０６は、ドラム１０４を通る乾燥気流を生成するために、駆動モータシャフトの他方の突出端部に結合される。空気を通気口及び加熱ダクト、ドラム入口１２１（ドラム端部１１０）、ドラム出口１２２（ドラム端部１０５）、環状糸くずフィルタ１２３及び出口ダクト６０６、及び横方向ダクト１２４に順番に通すために、また、キャビネット１０１の背面にある排気口１２８を通じて排気するため、ドラム１０４を通る乾燥気流がファンハウジング１２０内で回転するかご形ファン１８０６によって生成される。
【００５２】
空気入口ダクト内には加熱器が位置する。加熱器は、いずれも公知の形式のガス加熱器構成又は電気加熱コイル構成を備えることができる。加熱装置の作動は、ガス式又は電気式を問わず、電子制御モジュール１３９によって制御される。
また、電子制御モジュール１３９は、本明細書で後述するように、ドラム及びファン用駆動モータの通電を制御する。モータ回転数の制御は、例えば、主幹供給電源での「ＰＷＭ」負荷サイクル制御、又は整流電源のインバータ周波数制御によるものとすることができる。回転数制御が改善され、逆転中のベルト負荷が低減されるために後者が好ましい。
【００５３】
排気ドラム１０４は、実質的に円筒形であり、ドラム端部１０５から延びる環状糸くずフィルタ１２３を通る。気流は、外方に糸くずフィルタスクリーン１２３を通過し、スクリーン内面に糸くず層が堆積する。マニホールド支持部材７４１は、有孔空気出口板１２２を支持し、有孔空気出口板は、ドラム端部１０５の中央開口部１３１内の一括糸くず収集容器１３０を支持する。一括糸くず収集容器１３０の一部を形成する（又は、代替的に、空気出口ダクトによって直接に支持される）スクレーパは、容器１３０の上端部の開口部内に落ちて容器１３０内に収集されるように、層状の糸くずを糸くずフィルタ１２３の表面から剥ぎ取る。容器１３０は、空にするためにドラム内から取外し可能である。
【００５４】
説明したような空気出口端構成は、好ましい形態である。しかし、比較的単純な従来の構成も使用することができる。
例えば、ドラムの空気入口端のものと類似の支持アセンブリは、糸くずフィルタスクリーンが有孔空気出口を覆うように設けられ、保護カバーが回転中の乾燥機内容物からフィルタスクリーンを守るようにして使用することができる。
【００５５】
モータ駆動アセンブリ及びベルトテンショナ
１つの好ましいモータ駆動アセンブリ及びベルトを図１、図１８から図２２を参照しながら説明する。大まかに類似したデザインの別の好ましいベルトテンショナを図２９、図３０に説明する。取り付け装置を含む限り特定のモータ駆動アセンブリと、特定の好ましいベルトテンショナと、ベルトテンショナの取り付け装置について、機械内部が完成又は完成に近いユニットとして基本キャビネットから移動可能である乾燥機の好ましい機械的装置という関連で説明する。モータ駆動アセンブリ及びベルトテンショナの取り付け装置の態様は、かなり異なるが、同時に、本発明の態様の目標とする範囲、特に、しかし唯一ではなく、この移動式サブアセンブリの特徴を含まないランドリ装置の実施形態において、その範囲にとどまる。その場合、基部パネルからの直接のモータ駆動アセンブリの取り付け、及び、パネル又は基部パネルから直接かつ独立して生じた遊びプーリの設置で十分である場合があるが、以下に説明するものに沿った簡素化されたベルトテンショナは、尚も有利に使用することができると考えられる。
【００５６】
図１８、図２２を参照すると、主駆動モータ１８００及びかご形ファンハウジング１２０は、モータ支持ブラケット１８１２によって支持され、モータ支持ブラケットは、結合ビーム４０６、４０４と結合される。モータ支持ブラケット１８１２は、フレーム１８１４と、各々がそれぞれの結合ビームの折り返しフランジと係合する複数の間隔の空いたクリップ１８２０を含む一対の側面部材１８１６、１８１８とを含む。フレーム１８１４は、モータウェル１８２６及びファンハウジング１２０の上半分１８２８（図１を参照）を含む。
【００５７】
モータウェル１８２６は、モータ１８００から蓄積された熱を上昇させるための開口１８３０を含むことが好ましい。モータ１８００は、それぞれのシャフト部分１８３３、１８３５が弾性マウントを貫通する状態で各端部において弾性マウント１８３１を含む。弾性マウントは、モータハウジングと結合され、ハウジングに対しては非回転式である。モータウェル１８２６は、一対の端壁１８３２を有する。各端壁は、モータのそれぞれの弾性マウントを受けるための半円形の窪み８０３７、１８３９を含む。モータの取り付けは、取り付けカバー１８３４を弾性マウントの各々を覆うように固定することによって完了される。取り付けカバー１８３４は、カバー１８３４が端壁１８２３と係合して固定された状態でモータの弾性マウントが押されて半円形の窪みによって保持されるような第２の実質的に半円形の窪みを有する。
【００５８】
モータ支持ブラケット１８１２をモータに組み込む前に、ファン１８０６は、一方の突出シャフト１８３３、及び、駆動プーリは、他方のシャフトに固定される。モータがモータブラケット１８１２と共に組み立てられると、かご形ファン１８０６を実質的に封入するために、ファンハウジング１２０の下半分１８３６がモータブラケット１８１２に固定される。図２３を参照すると、下部ファンハウジング１８３６は、出口開口部１８３８を含み、出口開口部は、シャーシが作動位置で固定された状態でキャビネット出口ポート１２８の近くにある。直立部１８４２が開口部の下部周囲近くにある状態で、開口部１８３８は、フランジ１８４０によって取り囲まれる。フランジ１８４０と直立部１８４２は、出口ポート構成要素１８４４（図１）の相補的周囲フランジ１８４３に取り付けられた環状シール１８４５に当たるように嵌合する。環状シールは、例えば、フェルトストリップ又は類似の軟質弾性材であるのがよい。出口ポート構成要素１８４４は、それを貫通してその後側から延びる出口ポート１２８に至る開口部を含む。
【００５９】
支持シャーシがキャビネットに再び固定された状態で、フランジ１８４０と直立部１８４２との組合せを後方下方に押すと、開口部１８３８の下縁回りのシール作用が改善される。出口ポート構成要素１８４４の周囲フランジからの相補的直立部１８４７は、その一部が結合部上部のシール作用を改善するために開口部１８３８まで延びる。弾性シール材に対するシール作用に加えて、この構成では、更に、下部ファンハウジング１８３８と出口ポート構成要素１８４４との間の結合部の全体に亘って重複シールが実現される。ベルトテンショナ１８５０は、駆動プーリ１８０２の近くで結合ビーム４０４、４０６に固定される。
【００６０】
ベルトテンショナの好ましい一実施形態の構成を特に図１９、図２０Ａ、図２０Ｂ、図２１に示す。他の実施形態の構成を図２９、図３０に示す。
図１９、図２０Ａ、図２０Ｂ、図２１を参照すると、ベルトテンショナは、回転軸線間に一定の分離距離を有するように支持され、かつ、回転軸線間を通る駆動ベルトの湾曲部に位置決めされるように支持された一対のテンショナプーリを含む。駆動ベルトの湾曲部１８５１は、プーリのテンショナ間と主駆動装置プーリ１８０２の周りを通る。主駆動装置プーリは、任意的に、モータシャフト上に機械加工することができる。テンショナプーリの支持アセンブリは、テンショナプーリを押して、テンショナプーリ間を通る湾曲部を長くする方向に駆動プーリ１８０２から離すことにより（ドラムに向けて）、全体的なベルト経路の長尺化が促進されるが、駆動ベルトの制約を受け、代わりに駆動ベルトに対する引張効果が達成される。また、ベルトテンショナプーリが走る表面の分離も維持され、それは、次に、駆動プーリ１８０２の回りの駆動ベルトの最小接触角度を維持する。
【００６１】
駆動システムを担持するキャビネット内部から移動することができるサブアセンブリがない機械では、これらのテンショナプーリは、任意の特定の形状又はデザインのフレームで支持し、キャビネット基部又は壁又は任意のドラム支持構成から支持され、プーリをドラムに向けて強く押すための付勢作用体を設置することができる。例えば、支持体は、バネが装填された入れ子式支柱によるものとすることができる。
【００６２】
駆動ベルトテンショナの好ましい構成においては、ベルトテンショナプーリ１８６０、１８６２は、それぞれ、シャフト１８６６、１８６８のヨーク構成要素１８６４によって支持される。シャフト１８６６、１８６８は、ヨーク１８６４の受けノッチ１８７０内に位置する。受けノッチ１８７０は、テーパ付き進入部と部分円形受け部を含む。シャフト１８６６、１８６８は、受け部内に位置決めされてネック部で捕捉されるように、組み付け中に進入部と受け部との間のネック部を通る。シャフト１８６６、１８６８のヘッド部１８７２は、各受けノッチ１８７０近くで、ヨーク上に位置するフック付き突出部１８７４によって捕捉される。フック付き突出部１８７４は、シャフト１８６６、１８６８が軸線方向にヨーク１８６４から外れるのを防止するものである。シャフトヘッド部は、非円形で、ヨーク１６４に対する回転を防止するために突出部１８４と協働することが好ましく、防止されなければ、その回転により、最終的にはシャフトの外れに至る受けノッチ１８７０の摩損を誘発する場合がある。
【００６３】
ヨーク１８６４は、駆動プーリ１８０２の直径部に対して往復動可能に、かつ駆動プーリ１８０２回りに回転可能となるようにベルトテンショナブラケット１８８０から支持される。ヨーク１８６４を駆動プーリ１８０２に向けて押すために、ベルトテンショナブラケット１８８０とヨーク１８６４との間に付勢作用体が設けられる。付勢作用体１８８２は、空洞１８８５から出入りするために摺動可能であるように、ヨーク１８６４の空洞１８８５（参照番号２０ａ、２９ｂで破線で図示）に嵌合するキャリア１８８４を備える。キャリア１８８４内、ヨーク１８６４の空洞内に圧縮バネ１８８６が嵌合し、ヨーク１８６４とキャリア１８８４の基部１８８８との間で作動する。キャリア１８８４の基部１８８８は、その外面で耐磨耗シュー１８９０を含む。ベルトテンショナが組み立てられた状態で、シュー１８９０は、ベルトテンショナブラケット１８８０の弓状摺動トラック１８９２上を摺動する。シュー１８９０外面及び摺動面１８９２は、摺動トラック上でシュー１８９０の横方向の位置決めを行うために相補的形状であることが好ましい。相補的形状は、凸凹の湾曲、又は、四角形、台形、又はＶ字形リッジ及びチャンネルなどの相補的断面プロファイルを備えるものとすることができる。プロファイルは、摺動面間で発生する結合的係合の可能性を抑えるために浅いものであることが好ましい。図示の好ましい形態においては、プロファイルは、シュー１８９０の外面については浅いＶ字形のチャンネル、ベルトテンショナブラケット１８８０の摺動面１８９２については、相補的な浅いＶ字形のリッジとなっている。
【００６４】
ヨーク１８６４とベルトテンショナブラケット１８８０との間では、回転による摺動結合が行われる。中央スタブ１８９６の上で嵌合するヨークの中央のチャンネル１８９４は、ベルトテンショナブラケット１８８０のスパンウェブ１８９８から延びる。ウェブ１８９８は、ブラケット１８８０のアーム間に及ぶ。駆動モータの駆動プーリ１８０２は、組み立てられて所定の位置にある時に、スタブ１８９６の開放空洞１９００に入り、モータの支持シャフトは、スタブ１８９６の端面１９０４のノッチ１９０２を貫通する。空洞１９００は、使用時に駆動プーリを通るベルトが空洞１９００から出て開放上部を通るように上側に対して開放状態である。スタブ１８９６からの部分環状突出部１９０６は、組み立てられた時に、弾性マウントハウジング１８３４の受け部１９０８に当たるように位置決めされる。これによって、確実に空洞１９００内でプーリ１８０２が正しく位置決めされ、ベルト引張アセンブリに対してプーリ１８０２が相対的に位置決めされる。
【００６５】
耐磨耗低摩擦ブッシュ１９１０は、ヨーク１８６４、ベルトテンショナブラケット１８８０間のピボット回転による結合を容易にするものである。特に、ブッシュ１９１０は、スタブ１８９６については回転インタフェース、ヨーク１８６４については摺動可能インタフェースを有する。ブッシュ１９１０は、スタブ１８９６の外部部分円錐台表面１９１２に適合する少なくとも１つの部分円錐台内部支持面１９１４を含むことが好ましい。ブッシュ１９１０は、更に、ヨーク１８６４のチャンネル１８９４の内方に向いた支持面１９２０に当たる一対の実質的に平行な外方に向いた支持面１９１８を含む。ブッシュ１９１０は、組み立てられた時にスタブ１８９６の空洞１９００からベルトが通ることができるように、上部に広いノッチ１９２４を含む。ブッシュ１９１０は、組み立てられた時に、ベルトテンショナブラケットの横ウェブ１８９８の面に当たって支持されるスラストフランジ１９２６を含む。スラストフランジは、スタブ１８９６、ブッシュ１９１０の部分円錐台支持面が使用時に結合するのを防止する。
【００６６】
ここで、図２０Ａ、図２０Ｂを参照すると、ベルト引張の作動が示されている。比較的張りのあるベルト、例えば新しいベルトでは、プーリ１８６０、１８６２の張力を伝達するベルト部１９３４、１９３６の張力により、ヨーク１８６４の駆動プーリ１８０２方向のかなりの順方向の移動が防止される。これは、付勢作用体１８８２のバネ１８８６の押しに関係なく行われる。ヨーク１８６４にキャリア１８８４が押し込められることにより、バネ１８８６が押し込まれた状態で保持される。この状態が、図２０Ｂに示されている。
バネ１８８６は、ヨーク１８６４をプーリ１８０２に向けて押し続ける。従って、経年変化又は締め付けによってベルトが長くなった場合、図２０Ａに示すように、ヨークは、プーリ１８０２を通るベルトの湾曲部を長くするために順方向に押される。引張プーリは、駆動ベルトに対して押し続け、それを緊張させ続ける。
【００６７】
既に上述のように、ヨーク１８６４は、駆動プーリ１８０２回りに回転可能であると同時に、プーリに接近及び離脱するように摺動可能である。プーリ１８０２回りの回転は、プーリ１８０２が異なる回転方向に作動する状態でベルト部１９３４、１９３６の間のベルトの張りに差異をもたらす上で好ましいものである。図２０Ａ、図２０Ｂでは、矢印１９４０で示すように、プーリが右回転している場合に、ヨーク１８６４が使用されることになる場合が示されている。右回転すると、ベルト部１９３６よりもベルト部１９３４の張りの方が大きくなり、ヨークがこの回転位置又は類似の回転位置をもたらす。プーリ１８０２が逆に、つまり左回転した場合、これによって、ベルト部１９３４よりもベルト部１９３６の張りの方が大きくなり、従って、ヨーク１８６４が矢印１９３２に示すように回転することになり、摺動キャリア１８８４は、ベルトテンショナブラケット１８８０の摺動面１８９２を摺動する。
【００６８】
従って、好ましいベルトテンショナは、
・シャーシビーム上にクリップ留めすることによって取り付けやすく、
・小型でシャーシに固定されて、キャビネット又は基部パネルとの結合がなく、
・ベルト引張プーリの支持面に掛かる最大負荷を制限するように、駆動装置が方向を変えた時にベルト経路を変更し、
・ドラム回転の速度又は方向を変えた時の振動を制御するために、駆動システムに対して摩擦制動をもたらす。
【００６９】
ベルトテンショナアセンブリにおいては、ほとんどの構成要素は、プラスチック材料で成形することができる。しかし、一部の部品は、有用性を求めて他の材料で成形してもよい。例えば、シャフト１８６６、１８６８は、鋼製とすることができ、また、摺動シュー１８９０は、例えば、真鍮の板金プレス加工品とすることができる。バネ１８８６は、コイル圧縮バネとして従来の形態及び材料であることが好ましい。板バネ又は空気バネなどの代替形態のバネも適用可能であることが理解されるであろう。ブッシュ１９１０は、その機能を考えると、摩擦低減充填材、例えば「ＰＴＦＥ」を含むプラスチック組成材料などを含むことが好ましい。また、摺動キャリア１８８４には、類似の低摩擦充填材を有利に備えてもよい。モータ支持アセンブリにおいては、モータ支持ブラケット１８１２、下部ファンハウジング１８３６、弾性支持ハウジング１８３４は、全て適切なプラスチック材料で成形することができる。
【００７０】
図２９、図３０の他の実施形態では、付勢作用体は、ヨーク２９００とブラケット２９０２との間で捕捉されるバネ２９０６を備える。ヨークとブラケットには、ブラケット上の環状直立具２９３６などのバネ係合機能を設けることが好ましい。直立具（及び、近くにブラケット）を通る分割部は、直立具を押し込んでバネ孔内に嵌合させることにより、組み立てを助ける。栓２９０４は、ヨークから延び、余裕のある間隙を有するブラケットの開口を通過する。バネは、限られたセンタリング力で、ヨークに位置の柔軟性をもたらす。この構成は、周波数制御インバータによって駆動される電子整流式モータのような衝撃負荷が低いモータ構成に適切なものである。
【００７１】
各プーリ２９１０は、ヨーク２９００によって支持されたシャフト２９１４上の軸受２９１２で回転する。各シャフトには、放熱フランジ２９２０が結合される。
放熱フランジ２９２０は、シャフトに装着され、プーリの両側のハブ領域を封入するがプーリには接触しないハブ遮蔽体を構成する。シャフトのようなハブ遮蔽体は、回転せず、ヨークの縁部２９３２にクリップ留めされたラグ２９３０によって所定の位置にネジ止めされる。遮蔽体は、高い熱伝達率を有する材料、好ましくは、プレス加工シートアルミニウムで形成される。
【００７２】
ドラムハッチ１０８
特に図１から図３を参照すると、ドラム（ハッチを除く）は、広い意味では、一対の円形ドラム端部１０５、１１０、部分円筒形ドラム外板１０７から成る。部分円筒形ドラム外板１０７には、両円周部に沿って形成された折込みリム１０５を通じてドラム端部１０５、１１０が結合される。
ドラムは、更に、ドラム開口部の縁部を形成する、それぞれ部分円筒形ドラム外板の縁部１６０、１５１に結合したベーン１８６、１９６を含む。ベーンにより、ドラム構造体に対して剛性が加わり、ドラム外板（及び、特にその自由縁部）が支持される。更に、ベーンは、作動中に洗濯物による負荷を均等に分配しやすくするために彫りこまれている。
【００７３】
ドラム端部１０５は、気流出口及び糸くず収集器の近くのハブ領域で二重外板を有する。空気出口及び糸くず収集器の内面は、ドラムの内部円筒チャンバの中に若干変位され、内方に窪んだ板１６５によって取り囲まれる。ドラム端部の外層１６６は、窪みのない領域１５４がドラム開口部に対して既知の角位置にある、環状円状の窪み１５３を含む。窪みがない領域は、作動中のドラム回転位置を検出するために使用される。製造中の位置決めを目的として、各ベーンは、各ドラム端部１０５、１１０の開口１５７を貫通して突出する端部突出部１５６を含む。
【００７４】
図３を参照すると、ドラム開口部では、ドラム周囲でドラム端部の内向き面に一対の側面バッフルが固定され、ベーン１８６、１９６の間に延びている。各側面バッフルは、テーパ付き内面と内方に向くトラック１０９とを含む。側面バッフルは、追加プラスチック構成要素であり、自動ネジ込みネジのような適切な留め具によってそれぞれのドラム端部に結合されることが好ましい。
ドラムハッチ１０８は、対向した側縁１８５と、前縁１８２と、後縁１８３とを有するステンレス鋼の部分円筒部分１８１を含む。側縁１８５は、補強縁部となり、かつチャンネルに巻いた縁部を与えるために、それ自体の上に外方に折り返されている。ドラムハッチ１０８の後縁１８３には、Ｓ字形曲げ部１８４が形成される。Ｓ字形曲げ部は、ドラムハッチ１０８の後縁でドラムハッチの幅方向に内方のこぶと外方のこぶを作るために形成される。内方のこぶは、部分円筒形ドラム外板１０７の外面の上に載り、ドラム外板に対する低摩擦支持面となる。外方のこぶは、ハッチ外板１８１のカットエッジがドラムから遠ざかるのではなく、ドラムに向けて呈示されることを保証し、機械の任意の保守又は修正作業中の安全性を高める。
【００７５】
ドラムハッチ１０８の前縁１８２には、乾燥機キャビネットに対するドラムハッチ位置の固定を可能にするための機構の各部品が設けられる。特に、ドラムハッチには、一対のＴ字形ピボット回転アーム２００が設けられる。Ｔ字形ピボット回転アーム２００は、横方向捕捉部材２０１と、横方向捕捉部材２０１と部分円筒形ドラムハッチ外板１８１との間を結合するピボットアーム２０２とを含む。捕捉部材２０１は、内端から外端に延びる軸線方向孔を含む。連結ロッド２０３は、捕捉部材２０１の軸線方向孔２０４内に取り付けられた端部を有する。ロッド２０３は、捕捉部材２０１の強化用バックボーンとなり、その動きの自由度を小さくする。回転アーム２００は、捕捉部材２０１から離れた端部でドラムハッチ１０８に結合される。ピボットアーム２０２は、平坦なバネ部材２３０の中心二重脚２３３に固定される。二重アーム２３３は、ピボットアーム２０２外面の窪み２１３内に着座し、窪み２１３のヘッド部にある中央に位置する直立具２１０の回りで所定の位置に保持される。二重脚２３３は、一対の横方向に延びる「ｔｏｒｔｅｎ」部分２３２を通じて、バネ部材２３０の一対の外側脚２３１に結合される。バネ部材２３０の外側脚２３１は、ハッチ縁部補強板２２０の内面２３５と部分円筒形ドラムハッチ外板１８１の外面との間にクランプ留めされる。バネ部材２３０のクランプ留め部は、補強板２２０内面に形成された溝又はチャンネル内に位置することができる。
【００７６】
補強板２２０は、ドラムハッチ１０８に固定されることが好ましい。補強板２２０の先端リップ部２４０は、その後縁のチャンネル穴又は窪みを含み、部分円筒形ドラムハッチ外板１８１の前縁１８２の前方に延びる舌状部２４１を覆うように取り付けられる。補強板２２０の後縁は、補強板２２０の固定用穴２２４に入る留め具によってドラムハッチ外板１８１に固定される。固定用穴２２４は、バネ部材２３０の各結合した外側脚２３１、「ｔｏｒｔｅｎ」部分２３２、二重脚２３３によって（順に）形成されたＵ字形部分の頂点に対応することが好ましい。これによって、補強板２２０とドラムハッチ外板１８１との間にバネ部材２３０が更に固定される。
図３１に示す補強板の他の実施形態によれば、この板は、ハッチの縁部に掛かるいかなる曲げ負荷も小さくするためにトラック１０９内を摺動する、両端での横方向ウィング３１００を含む。
【００７７】
再び図３を参照すると、平バネ２３０は、ピボットアーム２０２の外面に固定されるように、中心二重脚２３３がネジ固定穴２２４間のネック部窪み２３６の上を通る状態で所定の位置に固定される。
ピボットアーム２０２は、補強部材２２０の窪み又は開口２２１内に着座する。開口２２１は、ピボットアーム２０２がドラムハッチ外板１８１に対する第１の位置にある時にぴったり合う位置をもたらすように、ピボットアーム２０２の形状に適合するような形状であることが好ましい。開口２２１は、窪んだネック部２３６の近くの前方を向く当接面２２５と固定用穴２２４とを含む。当接面２２５は、捕捉部材２０１から遠位のピボットアーム２０２の端部において、対応する当接面２１１に当接する。
【００７８】
また、開口２２１は、ピボットアーム２０２が第１の位置にある状態でピボットアーム２０２の前方に面する当接面２１２と当接する後方に面する当接面２２２を含む。従って、少なくとも第１の位置においては、ピボットアーム２０２は、面２２２、２１２の当接により、補強部材２２０に対するかなりの順方向の移動が防止される。
ピボットアーム２０２は、捕捉体２０１から遠位にある両端回りに、ドラムハッチ外板１８１から離れた第２の状態へピボット回転可能である。第１及び第２の両方の位置においては、Ｔ字形ピボット部材２００は、ピボット部材当接面２１１と補強部材当接面２２５との当接により、補強部材２２０に対する後方の移動が抑制される。
【００７９】
明らかに、捕捉部材２０１及びドラムハッチ１８１間の代替的であるが好適性の劣る結合には、ドラムハッチ外板と捕捉部材との間で作動する任意の適切なバネ機構でドラムハッチ外板に締結された単純なヒンジが含まれる。
しかし、本発明で説明する機構は、以下に説明するアセンブリのその単純さのために好ましいものである。補強部材２２０は、リップ部の窪みを舌状部２４１の上に取り付けて、補強部材２２０の対応する穴２２４を通って固定されるようにドラムハッチ外板１８１の穴２５０を通して留め具を挿入することにより、ドラムハッチ外板１８１に取り付けられる。Ｔ字形ピボットアーム２００は、連結ロッド２０３と共に予め組み立てられる。その後、ｕ字形部分２３３がピボットアーム窪み２１３に押し込まれた状態で、後縁から補強部材２２０の下方にバネ部材２３０の外側脚２３１を通すことにより、このピボット回転式アセンブリを補強部材２２０に固定することができる。
【００８０】
図３１から図３３に示す他の好ましい実施形態によれば、ドラムハッチ補強部材は、その開口部の縁部に沿って迷路構成を含み、ドラム開口部の対向した縁部は、ドラムハッチが完全に閉じるために迷路形態（ラビリンス）が厳しい許容範囲で互いに係合すべきであるような相補的な迷路形態を含む。
補強部材（図３１）の迷路構成及びドラム開口部縁部（図３２）の迷路形態は、対向した部分の相補的ソケット形態３１０４、３２０４との係合のための交互配置した突出壁３１０２、３２０２を含む。
これらの壁は、図３３のように、蓋が完全に閉じるようにソケットに完全に係合する必要がある。衣類が閉鎖部に引っ掛かった場合は、ソケットの複数の空間上に及ぶ布地が非常に薄いものであっても、その圧力によって係合が妨げられる。
【００８１】
図３３Ａに示すように、補強部材がドラム開口部縁部と一緒になった時に布地が閉鎖中の間隙に挟まった場合、一対の突出壁３２０２が最初にそれぞれのソケット３１０４と係合し、布地を２つの間隔の空いた領域に結合して固定する。これらの領域に亘って延びた布地のブリッジは、ソケットに３２０４に入ろうとする突出壁３１０２上に捕捉される。ソケット３１０４に入る突出壁３２０２の厳しい許容範囲設定は、この制限的な橋部が、最も薄い材料及び／又はパンティストッキングのような非常に伸縮性のある材料と一緒に、非常に薄い材料によってさえも作り出されることを保証することができるが、それでも、現実的な許容範囲で閉鎖を防ぐのに十分ではない場合がある。しかし、閉鎖を防止しない材料は、一般的にドラムの作動的回転中に機械内で損傷を引き起こすほど強度が十分ではなく、貴重な衣類には一般的に存在しないということも当てはまる。
【００８２】
また、図３３Ａに示すように、相補的迷路形態が完全に係合するまで、捕捉部材２０１は、トラック１０９の外面上方のドラム係合部材の境界内で捕捉されたままである。従って、ドラムハッチ係合部材によって解放されず、ドラムの回転は停留したままである。モータコントローラは、ドラム開放作動に関連して後述する方法などにより、ドラム回転の停止を検出することが好ましい。その後、コントローラは、ドラム開放回転を開始することによってドラムを再び開き、適切な方法でユーザに通知することが好ましい。
【００８３】
ドラムハッチ係合機構
衣類乾燥機には、キャビネットと結合したドラムハッチ係合機構が設けられる。この機構は、ドラム開放作動開始時、及びドラム開放又は部分開放時を通じてハウジングに対する動きに対してドラムを固定し、ドラム閉鎖作動終了時にドラムハッチを解放するものである。この機能を実行する際には、ドラムハッチ係合機構は、Ｔ字形ピボットアーム２００の捕捉部材２０１と係合して保持し、その後に解放するように作動する。
【００８４】
特に、図３から図３Ｂ、図６から図１０、図３３Ａを参照すると、ドラムハッチ係合機構は、ドラムの開放回転中の捕捉部材２０１の上昇及び前進停止のための捕捉部材２０１の各々に付随する１つ又はそれ以上の傾斜したアバットメント３１１と、ドラムの閉鎖回転中に補足する捕捉部材２０１を保持するための捕捉部材２０１に付随する１つ又はそれ以上の閉鎖アバットメント３１０とを有する係合部材を含む。
【００８５】
本発明の好ましい形態においては、ドラム係合部材は、回転式ドア又はフラップ３００を備える。回転式フラップ３００は、側面ハウジング３０４、３０５のソケット内で係合するために一対の円筒形スタブ３０２として横方向に延びる後縁に沿ったピボット棒３０１を含む。ハウジング３０４、３０５間に亘っては、チャンネル部材３６１が延び、端部でハウジングと結合される。チャンネル部材３６１は、ハウジング３０４、３０５の正確な分離と、ハウジング間での回転棒３０１の位置を維持する。ピボット棒３０１は、チャンネル部材３６１の開放チャンネル３６２内に着座する。チャンネル３６２は、長さ方向にピボット棒３０１を支持することにより、スタブ３０２に掛かる応力を低減する。
【００８６】
フラップ３００は、ドラム開口部の幅に亘る先端面３１５を含む。先端面３１５は、フラップ３００が係合位置にある時にドラムとハウジングとの間の空間に入り込む障害物となる。
傾斜アバットメント３１１は、回転して内面裏当てから先端面３１５まで突出し、また、ピボット棒３０１に向けて突出する。傾斜アバットメントは、歯の形態を取り、係合部材３００から間隔の空いた前縁までテーパ付きである。各歯は、捕捉部材２０１を受け止めるために内縁３３０２と、ドラム外板上の表面で摺動するための外縁３３０４とを有する。
【００８７】
フラップ３００は、フラップの幅に亘って内面とピボット棒３０１との間を結合する主結合面３１３を有する。閉鎖アバットメント３１０は、結合面３１３から突出しており、傾斜アバットメント３１１に向くアバットメント縁部３１４を有する。面３１３からの閉鎖アバットメント３１０の突出は、面３１３からの傾斜アバットメント３１１の突出よりもかなり小さい。開放作動において、突出部３１０は、傾斜アバットメント３１１の各点が捕捉部材２０１の下で引っ掛かっている間に捕捉部材２０１を排除することになる。
【００８８】
ドラム１０４のトラック１０９は、ドラムハッチ１０８が閉鎖状態の時に捕捉部材２０１の外端が突き当たる端面をもたらすように、前端３２０で終端する。
ドラム係合フラップ３００の傾斜アバットメント３１１を上げることにより、Ｔ字形ピボットアーム２００は、ドラム開放位置まで上昇する。ドラム開放中に、捕捉部材２０１が上昇し、トラック端部３２０の端面から外れる。ドラムハッチが所定の位置にある状態で、フラップ３００によってドラムの開放回転が開始された後に、捕捉部材２０１の外端は、トラック１０９の外面の上方に着座する。この状態で、それらは、トラック１０９の外面とフラップ３００の面３１３との間に保持される。ドラムの円周方向においては、それらは、一方の方向の動きが傾斜アバットメント３１１により、他方の方向の動きが閉鎖アバットメント３１０により阻止される。ドラムの開放回転中は、捕捉部材２０１は、傾斜アバットメント３１１に対して支持される傾向があることになる。
【００８９】
ドラムの閉鎖回転中は、図３３Ａに示すように、捕捉部材は、閉鎖アバットメント３１０に対して支持される傾向があることになる。ドラムハッチが完全に閉じた状態に達した状態で、捕捉部材２０１は、バネ部材２３０の影響を受けてトラック１０９の外面から落ち、閉鎖アバットメント３１０は、それらの上方で障害なく延びる。ハッチが障害物（例えば、図３３Ａ）のために閉じることができなかった場合、捕捉部材は、トラック１０９の上方で捕捉されたままとなり、ドアはキャビネットに結合されたままである。
フラップ３００は、係合位置と非係合位置との間で可動である。係合位置にあるドラム係合フラップ３００の効果については既に上述した。非係合位置においては、ドラム係合フラップ３００は、ドラム係合端部がドラムの表面から離れた状態にあるようにピボット回転する。
【００９０】
開放シーケンス中に捕捉部材２０１を捕捉するためにドラム係合フラップ３００を定位置に保持するのを助けるために、最初の捕捉部材２０１との当接の少し前の時点から、次に、ドラム蓋が完全に閉じた状態で捕捉部材２０１が解放されるまでのその後の開閉を通して、ドラムの近くにフラップ３００を保持するための装置が設けられることが好ましい。図３３Ａを参照すると、この保持装置は、それぞれのトラック１０９内の係合する位置でフラップ３００の各端部から延びる横方向に延びるウィング３３１０の形をとることができる。予め保持するために、短い追加トラック部分３３１２が、トラック１０９と整列したドラムの外側に設けられる。トラック３３１２の短い部分は、開放回転の最初にウィング３３１０の進入を受け止めるためのトラック１０９から遠位の解放端部３３１８を有する。トラック１０９に近位の端部３３１４は、捕捉部材受けノッチ３３１６によってトラック１０９の端部３２０から分離される。捕捉部材２０１は、ハッチが完全に閉じた時にノッチ３３１６内に着座する。ウィング３３１０は、ウィングがノッチを通る時にフラップ３００が解放されないことを保証するために、ノッチ３３１６に亘って延びるのに十分な長さである。
【００９１】
ハッチ係合部材３００のピボット回転を、特に図１０、図１１を参照して説明する。フラップ３００は、ピボット棒３０１のスタブ端部３０２により、支持レール３６１の傍のピボット棒の長さ方向にピボットによって支持される。フラップ３００は、レバー部材３３０を含む。レバー部材３３０は、係合部材の一端の近くのフラップ３００から、また、ピボットスタブ３０２の近くの点から延びる。作動ロッド３３１は、モーメント抵抗の関係でレバー部材３３０と結合された一端を有する。この結合は、例えば、予め成形されたチャンネル内に嵌合させることによるか又はオーバーモールド法によるものとすることができる。ロッド３３１は、アクチュエータ機構によって横方向（矢印３４６、３４４によって表す）に可動である遠位端３４２を有する。好ましいアクチュエータ機構には、両方の移動方向に動力作動が必要である。
好ましいアクチュエータ機構は、第１の歯車３３７がハブ３５０回りに回転可能であって外方に延びる周辺歯３３８を含むウォーム駆動ギアボックスを含む。駆動歯車３３３は、第１の歯車の歯３３８と係合した螺旋ネジ３３４を含む。駆動歯車は、端部支持壁３３６の間に支持され、電動機３３２によって駆動される。
【００９２】
振動を吸収するために、ゴムスペーサ（図示せず）をモータの下に設置し、モータとハウジングの間に留まらせて圧迫することができる。また、振動を吸収するために、駆動歯車３３３の両端の少なくとも一方は、それぞれの支持壁３３６の弾性取付具内に支持される。例えば、図示のように、遠方端部は、台座又はプラスチック軸受のような軸受内に支持することができ、軸受は、支持壁３３６の開口に嵌合されたゴム取り付け板３６０内に取り付けられる。
【００９３】
第１の歯車３３７及び／又は駆動歯車は、一緒に作動する時に第１の歯車３３７の完全な一回転よりも小さな回転を含む駆動包絡線のいずれかの端部で積極的な停止作用がもたらされるように形成される。積極的な停止は、第１の歯車が回転限界に到達した時に第１の歯車構造体と駆動歯車構造体との衝突によって実現される。駆動歯車構造体と第１の歯車構造体の１つの好ましい組合せを以下で説明するが、この組合せは、衝突時の衝撃を吸収し、代替構造体も本発明の範囲にあると認識される。例えば、第１の歯車の螺旋の何れかの端部に正方形の端部を有することができる駆動歯車の螺旋ネジは、必要な端部停止時に予想される歯の谷がない場合がある。螺旋ネジの正方形の端部は、不測の谷欠落部に到達した時に第１の歯車のそれぞれの面と衝突することになる。
【００９４】
第１の歯車３３７の円周部のかなりの割合のみが、周辺歯３３８を含む。第１の歯車３３７の歯付き部分の各端部の近くでは、外方に設けられた衝突部材３３９、３４０がある。衝突部材３３９、３４０は、周辺歯３３８よりも大きな半径方向の延びを有する。衝突部材３３９、３４０は、第１の歯車３３７の歯付き部分３３８の端部の近くで柔軟性をもたらすように形成されることが好ましい。例えば、衝突部材３３９、３４０は、第１の歯車３３７の歯付き部分３３８から円周方向に後退した点で第１の歯車３３７から延び、歯付き部分３３８の端部の近くの端部まで第１の歯車３３７の形態から間隔が空いているが平行に円周方向に延びることが好ましい。従って、衝突部材端部３３９、３４０は、衝突部材の屈曲による横方向の圧力を受けて若干偏向する場合がある。
【００９５】
第１の歯車の回転は、それぞれの衝突部材３３９又は３４０の駆動歯車との衝突によっていずれかの方向で停止される。駆動歯車は、螺旋ネジ３３４の端部から変位した位置でそのシャフトからの突出部を含み、衝突部材３３９、３４０の衝突は、螺旋ネジ３３４ではなく突出部３３５に対してであることが好ましい。これらの突出部は非環状であり、横方向ラグとして延びることが好ましい。第１の歯車の動きは、衝突部材３３９、３４０の前縁とラグ３３５との衝突により、駆動歯車の回転停止によって中止される。
【００９６】
電動機３３２通電中の駆動歯車の回転停止により、モータ電流が急激かつ検出可能なほど増加する。モータに印加された電圧は、モータ電流のこの増加の検出時に取り除くことができるが、一部のモータ及び電源の組合せについては、これが不要である場合がある。本発明の好ましい形態においては、モータ電流は、しきい値を超えるか又は超えていない時に１ビットデジタル化回路によって感知される。電子コントローラは、デジタル化回路がモータ電流がしきい値レベルを超えたことを示すと、モータへの電力供給を切断する。
その結果、衝突部材３３９、３４０により、第１の歯車３３７の移動の最終限界が形成される。これらの移動最終限界を、それぞれ図１０、図１１に示す。図１０の矢印３４５の方向の第１の歯車３３７の回転は、移動完了時点で図１１に示す位置に至ることになる。矢印３４３の方向での第１の歯車３３７の回転は、完了時点で図１０の位置に至ることになる。
【００９７】
第１の歯車３３７の本体の円形開口３５１には、衝突部材３３９、３４０の反対側にディスク３４１がある。ディスク３４１から延びるラグの開口を作動ロッド３３１が貫通する。ラグは、収集ロッド３３１に沿って摺動可能であり、ディスク３４１は、第１の歯車３３７の開口３５１内で回転可能である。
図１０に示す位置から図１１に示す位置までの第１の歯車の回転においては、ディスク３４１は、ハブ３５０の片側から反対側に矢印３４６の方向に作動ロッド３３１の遠位端３４２を引きずる。これは、作動ロッド３３１をレバー３３０に位置するその端部回りに回転させ、それによってレバー３３０とハッチ係合フラップ３００は、ピボットスタブ３０２の回りに回転する。
第１の歯車３３７の逆の移動においては、つまり、図１１の状態と図１０の状態との間では、結合ロッド３３１の遠位端３４２が矢印３４４の方向に引きずられることにより、係合位置から非係合位置までのハッチ係合フラップ３００の回転が引き起こされる。
【００９８】
コントローラ
図１２を参照すると、本発明の衣類乾燥機は、ユーザ入力及びセンサ入力に応答して機械の作動を制御するようにプログラムされた電子コントローラ９００を含む。電子コントローラは、図１の「ＰＣＢ」実装型電子モジュールとして物理的に実現される。特に、コントローラ９００は、ドラム駆動モータ９０２の回転数及び回転方向、ハッチ係合部材ドア起動モータ３３２のいずれかの方向での通電、蓋固定ソレノイド９１８の作動及び停止、及び加熱器９３０（ガス又は電気要素を問わず）の作動を制御する。コントローラは、ユーザ入力をユーザ入力パネル１９１６から受け取り、これらの入力は、一般的に、要求された乾燥サイクル条件（例えば、開始時間、サイクル時間、要求された乾燥度、及び作動温度）及び作動的制御（例えば、開始、停止、休止、冷却モードに入る）を設定する。コントローラ９００は、蓋固定ソレノイド（蓋が閉じられているか否かを示す）内を流れる電流を感知する電流感知回路９０６、湿気センサ６８０、モータ３３２内を流れる電流を感知する電流感知回路９１４、光センサ９１０の出力、ドラム内の温度を示すサーミスタ９１２の出力、ドラム内の過度の温度を検出するサーモスタット９３２の出力、設けられた加熱ユニットの任意のモニタリング出力からの付加的な入力を受け取る。
【００９９】
乾燥機の一般的な乾燥作動は、詳細には説明しない。乾燥機が運転モードになると、好ましい運転モードは、熱が進入空気に加えられた状態で１つの方向の回転シーケンス中のドラム回転、次に、一般的に絡みほぐしを目的とした熱を加えない状態（又は、より小さい割合で熱を印加した状態）での別の方向のより短い期間の回転という適切なサイクルを伴う。特に、駆動モータがより有効な方向にファンを駆動している時にのみ熱が印加されるというのは好ましいものである。ドラムを駆動させてファンを駆動するのに別々の駆動モータが使用された場合、進入空気に対する熱の印加は、ドラム回転方向とは全く独立して行うことができる。
【０１００】
一対の導電接点間の抵抗感知による乾燥負荷内の品目の水分感知も当業技術で公知であり、詳細な説明は省略する。感知された水分含有量がユーザ選択レベルに対応する水分含有量に等しいか又はそれ以下である時は、コントローラは、乾燥機を冷却モード（ドラムが回転して熱なしで気流が適用される）に入れることが好ましい。水分含有量を検出する代替方法（例えば、空気出口温度プロファイル及び空気出口水分レベル）を使用することができ、また、全ての場合において、ユーザが選択した水分レベルは、任意の絶対水分含有量ではなく、生又は処理済みのセンサレベルに対応することができることが理解されるであろう。蓋感知回路に関連した蓋固定及びその作動も当業技術で公知であり（特に、上方投入洗濯機）、本明細書ではその説明を割愛する。勿論、コントローラは、蓋が閉鎖状態であることを示すセンサがない場合は、機械の作動のロックアウトを設け、作動を通して蓋固定をロック状態に維持する。
ドラム開放及びドラム閉鎖作動と電源投入時の初期化手順と通じた好ましい乾燥機の作動方法は、本発明の態様を形成し、従って、その好ましい実施形態を図を参照しながら以下に詳細に説明する。
【０１０１】
一般的作動
乾燥機の開閉作動及び初期化手順には、各々、既知の回転位置への及び／又はそれからのドラムの速度制御された作動、及び格納位置と伸張位置との間でのドラムハッチ係合フラップの起動が含まれる。
ドラム位置は、光センサ９１０を通じて感知される。特に図５Ａ、図５Ｂを参照すると、ドラム端部７２６は、その面から押し出された窪み９５０の環状アレイを含む。これらの窪みの少なくとも周囲部は、ドラム回転中に近くの光センサ９１０からの光を散乱させるものである。窪み９５０は、規則的に間隔が空いており、環状アレイ内では１つの窪みが予想位置から欠けている。位置モニタリングアルゴリズムにより、各窪みの通過に伴ってドラム位置変数が増分又は減分される（ドラム回転方向に依存する）。欠落窪み検出ループは、窪みの欠落を示す長い切れ目のない信号がないかを検査し、欠落窪みに対処するために位置変数を増分又は減分し、必要な時には、この検出を用いて位置変数をリセットする。従って、位置読取値は、ドラム開口部の開放及び閉鎖縁部のようなドラムの他の物理的形態に対する既知の回転位置である欠落している窪みの位置からデータとして取られる。
ドラム位置は、開放作動に必要な時は、ドラムの完全な一回転内に再度確立することができるので、コントローラが通常の乾燥作動を通してドラム位置をモニタする必要はない。
【０１０２】
ドラム駆動モータは、標準的なＡＣ誘導モータであることが好ましい。ドラム駆動モータ速度は、実効印加ＡＣ電圧を変えるために可変負荷サイクルで印加ＡＣ電圧を切り削ることにより、開放及び閉鎖作動に対して制御される。ドラム速度は、光センサを通じて連続的に感知することができる。ドラム端部の窪みからの光の散乱による光センサで受光した光の周期的な妨害が検出される。妨害の比率は、公知の関係でドラム速度に正比例する。コントローラは、この妨害比率をモニタすることによってドラム速度と開放作動のための所要のドラム速度との関係を判断し、フィードバックは、望ましいドラム開放速度で又はその近くでドラム速度を維持するために切断負荷サイクルを制御する。
代替的に、ドラム駆動モータは、整流された電源から作動する可変周波数インバータによって速度制御されてもよい。
【０１０３】
必要に応じて、コントローラは、光センサ信号の連続的な周期的妨害により、ドラムがまだ回転していると判断する。欠落窪み検出ループに対して妨害間隔を検出するタイマはまた、最後の信号妨害からの経過時間が所定のしきい値を超えるとすぐに、ドラム回転の停止を示す。しきい値は、所定の時間期間であるか又は以前の妨害間隔から導いてもよい。
ドラム係合フラップ起動については、アクチュエータモータの作動は、アクチュエータモータ駆動電流の電流感知による終点の検出を含み、既に説明した。更に、アクチュエータ駆動モータの起動中に、コントローラは、アクチュエータモータ通電開始とモータ停止との間の時間経過を追跡する。コントローラは、周期的に予想範囲に照らしてこの時間経過を検査する。予想範囲外の時間経過は、ハッチ係合フラップが起動不完全である可能性を示す。
【０１０４】
ドラム開放作動中の乾燥機の作動
ドラム開放作動について、特に図１２、図１５、図６から図９の断面シーケンスを参照しながら説明する。
ドラム開放作動は、一般的に乾燥サイクルの終わりに行われる。ドラム開放作動の最初には、ドラムは、一般的に作業速度で回転している。段階１００１では、コントローラは、ドラムがドア開放及び閉鎖システム内で回転しているか否かを判断する。ドラムが順方向（図６の左回り）に回転している場合、段階１０１０で、コントローラはドラムの回転を止め、逆方向（図６の右回り）での回転を再開する。段階１００１でドラムが正しい方向で回転していると判断された状態で、ドラム開放を始めることができる。
【０１０５】
段階１００２では、コントローラは、ドラム駆動モータ速度を低減する。速度は、段階１００３で判断され、ドラム速度が安全ドラム開放速度に達するまで段階１００２で更に減じられる。その後、コントローラは、段階１００４、１００５のループでドラムがドラムハッチ係合フラップを延ばすのに安全なドラム位置である回転位置に達したと判断されるまで、減じた速度の回転を続行する。この位置は、好ましくは、ハッチ係合部材がドラムに対して完全に延びることになるように設定され、従って、ドラムは、ドラムハッチが係合する前に低速で短距離以上に亘って回転する必要がない。
【０１０６】
段階１００６では、コントローラは、ドラムハッチ係合フラップを回転させて傾斜突出部の外縁がドラム外板の面を摺動する係合位置にするために、アクチュエータモータ３２３に通電する。段階１００７では、コントローラは、第１の歯車アーム３３９が駆動歯車ラグ３３５に衝突した瞬間をアクチュエータモータ３２３の電流の増加で検出する。コントローラは、段階１００６での通電開始とアクチュエータモータ停止との間の間隔を計時し、段階１００７でその間隔が予想範囲内であるか否かを判断する。その間隔が予想範囲内であった場合、コントローラは、段階１００９でハッチ係合部材モータの通電を停止し、その手順を続行する。その間隔が予想範囲外であった場合、これは故障の可能性を示すものであり、段階１００８で、コントローラは、機械の作動を停止してアラートを示すか又は回復ルーチンに入る。
【０１０７】
ドラムの回転がドラムハッチ係合フラップの傾斜当接部に当たるようにハッチ前縁を前進させた瞬間のドラム端部フラップのこの延びた位置を図７に示す。傾斜当接部の歯の前縁の各点は、フラップの結合面３１３に当たって閉じ込められるまでドラムを更に回転させることにより、Ｔ字形ピボットアームの捕捉部材２０１の下を摺動する。この時点で、ハッチ係合フラップに対して捕捉部材２０１のそれ以上の順方向の動きは不可能であり、従って、ハッチの動きは停止されるが、ドラムは回転し続ける。傾斜当接部の縁部に載った捕捉部材２０１はまた、その捕捉部材をドラム表面近傍から持ち上げる。ハッチに対してドラムが更に回転すると、捕捉部材２０１は、ハッチ保持側面チャンネルの上方に行く。従って、捕捉部材２０１は、側面チャンネルによってピボット回転された状態に維持され、一方、ドラムは、開放又は部分開放している。図３３Ａを参照しながら説明したように、ドラム端部フラップの横方向ウィングは、側面チャンネル１０９に入り込み、ドラム開放及び閉鎖作動中にフラップを所定の位置に保持及び支持する。
【０１０８】
再び図１５を参照すると、段階１０１１と段階１０１２のループでは、コントローラは、段階１０１２でコントローラによってドラムの回転停止が検出されるような時までドラム開放速度でドラムを回転させるように、ドラム駆動モータに通電し続ける。
コントローラは、段階１０１２でドラムが回転を停止した瞬間を判断するために、光センサ信号の妨害比率をモニタし続ける。コントローラはまた、モータ電流の急激な増加によるモータ回転の停止を判断するために、電流感知回路を用いてモータ電流をモニタするように構成することができる。
ドラムの回転は、最終的には、側面チャンネル１０９の外面から突出する停止当接部に当たって静止するようになる、ハッチ係合フラップ３００の下にある当接部によって停止される。
【０１０９】
段階１０１２でコントローラがドラムの回転の停止を検出するとすぐに、ドラム駆動モータの通電を停止する。段階１０１３では、コントローラは、現在のドラム位置の計算から、ドアが完全に開放した位置にドラムが達したか否かを判断する。そうである場合、コントローラは、段階１０１５で機械の作動を停止して蓋固定を切り離す。コントローラがドラムはドア開放位置になっていないと判断した場合、段階１０１４で、コントローラは、機械の作動を停止し、アラートを示すか又は回復モードに入る。
コントローラは、ドラムを開放位置に維持するために機械式又は電気式ブレーキを掛けることができる。ブレーキは、例えば、ドラム駆動モータのウィングに亘って十分な電気抵抗を接続する段階を含むことができる。
【０１１０】
ドラム閉鎖作動中の乾燥機の作動
ドラム閉鎖作動は、ほとんどドラム開放作動の逆である。図１２、図１６、一連の断面９から６を参照しながら以下に説明する。
ドラムを閉鎖位置で閉じる前に、コントローラは、段階１０２０で蓋固定ソレノイドに通電し、段階１０２２で蓋固定が問題なく起動されたことを確認する。蓋固定の起動に失敗した場合、蓋固定ソレノイドは、段階１０２４で通電が停止され、ユーザアラートが作動する。
【０１１１】
蓋固定が問題なく起動された状態で、閉鎖作動は、段階１０２６、段階１０２８、段階１０３０を含むドラム低速閉鎖ループに進む。
段階１０２６では、コントローラは、ドラムをドラム閉鎖方向にドラム閉鎖速度で回転させるために、ドラム駆動モータに通電する。
コントローラは、ドラムが段階１０３０で検出されるドア閉鎖位置を過ぎるまでドラムをドラム閉鎖速度で回転させるために、ドラム駆動モータへの通電を続行する。
【０１１２】
各ループ内の段階１０２６と段階１０３０との間で、コントローラは、段階１０２８でドラムがまだ回転していると判断する。ドラムが停止していることを検出した場合、コントローラは、段階１０３２でドラムモータの通電を停止することによるドラム回転の停止から始まるエラー捕捉作動を実行する。その後、コントローラは、段階１０３４及び段階１０３６を含むドラム開放ループを実行する。段階１０３４では、コントローラは、ドア開放方向にドア開放速度でドラムを回転させるために駆動モータに通電し、段階１０３６では、ドラム回転なしにより開放作動の完了を検出する。修正的ドラム開放作動が完了した状態で、段階１０３８で機械の作動が停止され、ユーザアラートが作動する。代替的に、コントローラは、段階１０２６に戻って閉鎖作動を再度試行するように構成することができる。
【０１１３】
コントローラは、段階１０３０で閉鎖位置に達したと判断した状態で、段階１０４０で、ドラム端部フラップをその係合解除位置に引き出すために逆方向にアクチュエータモータ３２３に通電する。段階１０４２では、コントローラは、アクチュエータモータの停止を検出し、モータ起動時間の経過と予想範囲とを比較する。時間の経過が予想範囲外であった場合、コントローラは、段階１０４６で機械の作動を停止し、ユーザアラートを作動する。代替的に、コントローラは、回復作動を開始するように構成することができる。時間の経過が予想範囲内であった場合、段階１０４４で、コントローラは、アクチュエータモータ３２３への通電を停止する。その後、コントローラは、ドラム駆動モータの駆動電圧の切断を中止することにより、通常作動速度にドラムを加速する段階を含む段階１０４８で、乾燥サイクルによる作動を開始する。
【０１１４】
従って、ドラム閉鎖作動においては、ドラムは、静止から始まって順方向に回転し（図９の左回り）、一方、ハッチは、係合フラップによって静止状態に保持される。ドラムの回転は、ドラム開口部後縁を形成するベーンの前縁がドラムハッチ前縁に達するまでドラム閉鎖速度（好ましくは、ドラム開放速度と同じ）で継続する。それが行われる時に、捕捉部材２０１は、ドラムベーン前縁近くのノッチにある側面トラック外面から落ち、バネ部材２３０によってその位置まで引かれる。これによって、ドラムハッチがドラムハッチ係合フラップから解放される。ドラムハッチは、その閉鎖位置から摺動する恐れはなく、捕捉部材２０１による一方の方向では、側面トラックの端部を通ることができず、前縁１８２による他方の方向では、ドラムベーンの前縁に当たっている。
【０１１５】
図３３Ａに示すように、ドラムの閉鎖中に開口部に何か挿入物がある場合、捕捉部材２０１はノッチには達せず、従って、側面トラック外面上に停留し、ドア３００の閉鎖当接部によって保持される。従って、ハッチは、固定式キャビネットに結合されたままであり、ドラムの回転は、ハッチに当たっている当接部によって停止される。コントローラは、ドラムの回転停止を検出し、ユーザが状況を修正することができるように、ドラムを回転させて再び開かせる。
【０１１６】
初期化手順
一般的に、コントローラは、乾燥機が作動していない時でさえも作動中である。そのソフト電力ダウンモードにおいては、コントローラは、現在のドラム位置及びハッチ係合フラップ位置の記録をメモリに保持し続ける。しかし、これらの位置に関する記録は、電気製品がハード電力ダウンした場合、例えば、電源故障又は初期設置時を含む壁での電源切断又はプラグ引き抜きのために失われる。
ハードリセット後に電気製品に対する正しいステータス値を確立するために、コントローラは、初期化手順を通して進む。初期化手順は、図１７に示されている。
【０１１７】
初期化手順は、実質的に図１６の段階１０２０から段階１０３８に従ったドラム閉鎖作動から始まる。
特に段階１０５０では、コントローラは、蓋固定ソレノイドに通電し、段階１０５２で蓋固定が正しく起動しているかを検査し、蓋固定に通電がない場合は、段階１０５４で作動を停止してユーザアラートを作動する。蓋固定に正しい通電がある場合、コントローラは、段階１０５６、段階１０５８、段階１０６０から成るドラム閉鎖ループを開始する。段階１０６０は、ドアが完全に開いていた場合にドアを完全に閉じた状態にする十分な回転角でドラムが回転したことだけを検出する点で、通常の閉鎖作動の段階１０３０と異なる。コントローラが、ドラムが十分な角度を回転してドアを閉じたと段階１０６０で判断する前に段階１０５８でドラムが停止したことを検出した場合、それは、段階１０６２でドラムの回転を停止し、段階１０６４及び段階１０６６から成るドラム開放ループを開始する。それは、段階１０６６でドラムが停止したと判断するまで段階１０６４でドア開放方向にドラムの回転を開始し、判断した時点で、段階１０６８で機械作動を停止してユーザアラートを作動する。
【０１１８】
コントローラが、段階１０６０で、ドアを閉じるのに十分な角度をドラムが回転したと判断した場合、コントローラは、段階１０７０でドラム駆動モータへの通電を停止する。ドラムは、この時点でその開始状態に関係なく閉鎖状態であると仮定されている。
段階１０７２で、コントローラは、ハッチ係合フラップを引っ込めるために回転方向にハッチ係合フラップ起動モータを通電する。段階１０７４で、コントローラは、アクチュエータ駆動モータが短期間内に、実質的には即座に停止するかを判断し、そうである場合は、段階１０７６から段階１０８８で構成されるサブルーチンに進む。
【０１１９】
モータが直ちに停止しなかった場合、段階１０９０で、コントローラは、アクチュエータモータが現在の最大時間内に停止するか否かを判断する。停止しない場合、段階１０９２で、コントローラは機械の作動を停止し、ユーザアラートを作動する。アクチュエータモータが最大時間内に停止した場合、段階１０９４で、コントローラは、アクチュエータモータの通電を停止し、ドラムハッチ係合フラップを前進させる方向に改めてアクチュエータモータを通電する。段階１０９６で、コントローラは、予想経過時間範囲内にアクチュエータモータが停止するか否かを判断し、停止しない場合は、段階１０９８に進み、機械の作動を停止してユーザアラートを作動する。コントローラが、段階１０９６でハッチ係合部材モータが予想範囲内の経過時間で停止したと判断した場合、段階１１００で、コントローラは、アクチュエータモータの通電を停止し、ドラムハッチ係合フラップを引っ込める方向にアクチュエータモータを改めて通電し、段階１１０２で、アクチュエータモータが予想範囲の経過時間内に停止するか否かを判断する。コントローラが、段階１１０２で経過時間が予想範囲外であると判断した場合、段階１１０４で、コントローラは機械の作動を停止し、ユーザアラートを作動する。それ以外は、段階１１０６で、コントローラは、図１５に従って開放作動を開始する。
【０１２０】
段階１０７４でコントローラが初期通電時にアクチュエータモータが直ちに停止したと判断した場合、コントローラは、段階１０７６でアクチュエータモータの通電を停止し、ドラムハッチ係合フラップを前進させる方向にアクチュエータモータに改めて通電する。コントローラは、段階１０７８で、段階１０７６のアクチュエータモータ通電とモータ停止との間の経過時間が予想範囲内であるか否かを判断する。予想範囲内ではない場合、コントローラは、段階１０８０で機械の作動を停止してユーザアラートを作動する。段階１０７８で経過時間が予想範囲内であった場合、段階１０８２で、コントローラは、アクチュエータモータの通電を停止し、ドラムハッチ係合フラップを引っ込める方向にアクチュエータモータに改めて通電する。段階１０８４で、コントローラは、段階１０８２のアクチュエータモータ通電とモータ停止との間の経過時間が予想範囲内であるか否かを判断する。予想範囲内ではない場合、段階１０８６で、コントローラは、機械の作動を停止してユーザアラートを作動する。予想範囲内である場合、段階１０８８で、コントローラは、アクチュエータモータに通電し、通常の作動速度でのドラム駆動モータの通電を含む乾燥手順を開始する。初期化過程がハッチ係合部材が引っ込んだ閉鎖ドラム位置を示した場合に乾燥作業を自動的に開始することは、不揮発性メモリに設定されたユーザオプションとすることができる。それは、電力切断によって妨害された作動がユーザの介入なしに完了することを保証する有用なオプションである。
【図面の簡単な説明】
【０１２１】
【図１】本発明の好ましい実施形態による衣類乾燥機を通した断面側面図（右側から）である。
【図２】本発明の好ましい実施形態による衣類乾燥機を通した断面正面図である。
【図３】図１の乾燥機のドラム及びハッチ係合機構を示す後方からの等角組立図である。
【図３Ａ】ハッチを含む図３の領域の拡大図である。
【図３Ｂ】ハッチ係合部材ドア及び側面ハウジングを含む図３の領域の拡大図である。
【図４】ドラムの空気取込端を含む図２の領域の拡大図である。
【図４Ａ】図４の支持領域の拡大図である。
【図５】ドラムの空気出口端を含む図２の領域の拡大図である。
【図５Ａ】図５の糸くずフィルタハウジング及び支持領域の上端の拡大図である。
【図５Ｂ】図５の糸くずフィルタハウジング及び支持領域の下端の拡大図である。
【図６】ドラムが完全に閉じた作動構成で示す、本発明の好ましい実施形態による衣類乾燥機を通した断面側面図（右側から）である。
【図７】位置がドラム開放作動の開始か又はドラム閉鎖作動の終了をもたらす、本発明の好ましい実施形態による衣類乾燥機を通した断面側面図（左側から）である。
【図８】位置がドラム開放作動中をもたらす、本発明の好ましい実施形態による衣類乾燥機を通した断面側面図（左側から）である。
【図９】ドラムが完全に開いた作動構成で示す、本発明の好ましい実施形態による衣類乾燥機を通した断面側面図（右側から）である。
【図１０】非係合位置でのドラムハッチ係合部材を示す、アクチュエータ機構を明らかにする部分切取図によるドラムハッチ係合アセンブリの側面図である。
【図１１】係合位置でのドラムハッチ係合部材を示す、アクチュエータ機構を明らかにする部分切取図によるドラムハッチ係合アセンブリの側面図である。
【図１２】本発明の好ましい実施形態による乾燥機の制御システムのブロック図である。
【図１３Ａ】図１の前脚領域の拡大図である。
【図１３Ｂ】図２の右側脚領域の拡大図である。
【図１４】上部デッキの後縁とキャビネットの後面の上縁との間の接合を示す図１の上部後部領域の拡大図である。
【図１５】本発明の１つの態様によるドラム開放方法の作動シーケンスを示す流れ図である。
【図１６】本発明の１つの態様によるドラム閉鎖方法の作動シーケンスを示す流れ図である。
【図１７Ａ】本発明の１つの態様による再初期化手順の作動シーケンスを示す流れ図である。
【図１７Ｂ】本発明の１つの態様による再初期化手順の作動シーケンスを示す流れ図である。
【図１７Ｃ】本発明の１つの態様による再初期化手順の作動シーケンスを示す流れ図である。
【図１８】全てが側面シャーシパネル及びクロスレールに組み立てられたモータ及びハウジングと、ベルトテンショナと、ファン及びファンハウジングとを含む、他の構成要素を省略して示す下方から後方を見た主駆動アセンブリの図である。
【図１９】ベルトテンショナアセンブリの組立図である。
【図２０Ａ】最大ベルト取り込み位置のプーリキャリアを示す、組み立てた状態の図１８のベルトテンショナアセンブリの側面図である。
【図２０Ｂ】最小ベルト取り込み位置のプーリキャリアを示す、組み立てた状態の図１８のベルトテンショナアセンブリの側面図である。
【図２１】上方から見たモータ支持ブラケットの近くに組み立てた状態のベルトテンショナアセンブリ内を見た図である。
【図２２】ベルトテンショナ及び駆動モータを含むドラム駆動アセンブリを通し、排気口ダクト、ファン、ファンハウジングを通した断面図である。
【図２３】ファン、ファンハウジング、排気口ポートを含む機械の部分の断面側面図である。
【図２４】加熱器及び加熱器ハウジング、及び作動位置にある熱気入口ダクト開口部とのその並置を示す機械の左下側部分の断面正面図である。
【図２５】拘束バンドによって支配されたセルフレベライズ機構を組み込んだ他の実施形態による後脚装置の図である。
【図２６】図２５のセルフレベライズ脚装置の組立図である。
【図２７】拘束バンドと同軸の線に沿って切り取られた図２５のセルフレベライズ脚装置の断面図である。
【図２８】支持側面パネルの下縁がプラスチック補強レールに固定され、補強レールが前脚上のピボット回転作用をもたらす支持機能を組み込んだ他の実施形態による前脚の図である。
【図２９】逆転中に低い衝撃負荷をもたらすように駆動モータを制御することができる場合に特に適するベルトテンショナを示す、図１９から図２２までのベルトテンショナとほぼ類似であるがそれよりも単純な代替ベルトテンショナの側面図である。
【図３０】図２９のベルトテンショナの組立図である。
【図３１】第１の迷路構成を含む好ましい一実施形態によるドラム蓋前縁ブラケットの一端の図である。
【図３２】図３１の部材の迷路構成と係合するための相補的迷路構成を含む、蓋の前縁に交わるようにドラム外板の縁部と結合するための縁部構成要素の図である。
【図３３】蓋が完全に閉じるための迷路構成の完全な係合の要件を示し、図３１の前縁ブラケットのドラム蓋の前縁との結合、図３２の縁部構成要素のドラム外板の対応する縁部及びそのそれぞれのベーンとの結合を示す断面図である。
【図３３Ａ】閉鎖する縁部の間に挿入された障害物によって開状態に保持された位置における図３３に描いた各部分を示し、ドラムハッチトラック１０９及びハッチ係合部材３００を含んでドラムハッチの不完全な閉鎖がドラムハッチとキャビネットとの間の結合を維持していることも示す断面図である。
【図３４】図３１の蓋縁部ブラケットの横方向ウィングを受ける内方に向いたチャンネルを含むドラム端部支持部材が延びるドラム端部の周囲部分を示す半径方向平面上の断面図である。
【図３５】図５、図５Ａ、５Ｂに示すものに対する代替出口ダクトシール構成の断面図である。
【図３６】図４、４Ａに示すものに対する代替入口ダクトシールを示す断面立面図である。
【図３７】基部脚から延びる結合ラグを含む、図３６の実施形態のシール支持部材の一部分の側面立面図である。
【図３８】図３７の支持部材のＰ−Ｐ線に沿った断面図である。
【図１】
2006271985.tif 000003
【図２】
2006271985.tif 000004
【図３】
2006271985.tif 000005
【図３Ａ】
2006271985.tif 000006
【図３Ｂ】
2006271985.tif 000007
【図４】
2006271985.tif 000008
【図４Ａ】
2006271985.tif 000009
【図５】
2006271985.tif 000010
【図５Ａ】
2006271985.tif 000011
【図５Ｂ】
2006271985.tif 000012
【図６】
2006271985.tif 000013
【図７】
2006271985.tif 000014
【図８】
2006271985.tif 000015
【図９】
2006271985.tif 000016
【図１０】
2006271985.tif 000017
【図１１】
2006271985.tif 000018
【図１２】
2006271985.tif 000019
【図１３Ａ】
2006271985.tif 000020
【図１３Ｂ】
2006271985.tif 000021
【図１４】
2006271985.tif 000022
【図１５】
2006271985.tif 000023
【図１６】
2006271985.tif 000024
【図１７Ａ】
2006271985.tif 000025
【図１７Ｂ】
2006271985.tif 000026
【図１７Ｃ】
2006271985.tif 000027
【図１８】
2006271985.tif 000028
【図１９】
2006271985.tif 000029
【図２０Ａ】
2006271985.tif 000030
【図２０Ｂ】
2006271985.tif 000031
【図２１】
2006271985.tif 000032
【図２２】
2006271985.tif 000033
【図２３】
2006271985.tif 000034
【図２４】
2006271985.tif 000035
【図２５】
2006271985.tif 000036
【図２６】
2006271985.tif 000037
【図２７】
2006271985.tif 000038
【図２８】
2006271985.tif 000039
【図２９】
2006271985.tif 000040
【図３０】
2006271985.tif 000041
【図３１】
2006271985.tif 000042
【図３２】
2006271985.tif 000043
【図３３】
2006271985.tif 000044
【図３３Ａ】
2006271985.tif 000045
【図３４】
2006271985.tif 000046
【図３５】
2006271985.tif 000047
【図３６】
2006271985.tif 000048
【図３７】
2006271985.tif 000049
【図３８】
2006271985.tif 000050